(57)【要約】  本発明は、多重モード共振フィルタにおいて、空洞を有するハウジングと、上記ハウジングの空洞に収容される誘電体共振素子と、上記誘電体共振器の中心点を基準にして互いに独立的に直交する第１軸、第２軸、及び第３軸のうち、１つの軸上に存在する一地点と他の１つの軸上に存在する一地点とを連結する複数の転送ラインを含む。
2011526139.tif 000002
【特許請求の範囲】
【請求項１】
内部に空洞を有するハウジングと、
前記ハウジングの内部に収容され、複数の共振モードを各々異なる方向に形成する誘電体共振素子と、
前記複数の共振モードのうち、第１共振モードが形成される第１方向に対応して配置される第１転送ラインと、
前記複数の共振モードのうち、前記第１共振モードと異なる第２共振モードが形成される第２方向に対応して配置される第２転送ラインと、
前記複数の共振モードのうち、前記第１及び第２共振モードと異なる第３共振モードが形成される第３方向に対応して配置される第３転送ラインと、を含み、
前記第１、第２、及び第３転送ラインは、直接連結するかまたはカップリングすることによって、前記第１、第２、及び第３共振モードを互いに結合させることを特徴とする多重モード共振フィルタ。
【請求項２】
前記ハウジングに固定されて入力信号が入力される入力コネクタと、
前記ハウジングに固定されて出力信号が出力される出力コネクタと、を含み、
前記第１及び第２転送ラインは前記入力コネクタに連結され、前記第３転送ラインは前記出力コネクタに直接連結されることを特徴とする請求項１に記載の多重モード共振フィルタ。
【請求項３】
前記ハウジングに固定されて入力信号が入力される入力コネクタと、
前記ハウジングに固定されて出力信号が出力される出力コネクタと、
補助転送ラインと、を含み、
前記第１及び第２転送ラインは前記入力コネクタに連結され、前記第３転送ラインは前記出力コネクタに連結され、前記補助転送ラインは前記入力コネクタ及び前記出力コネクタのうち、いずれか１つに連結されることを特徴とする請求項１に記載の多重モード共振フィルタ。
【請求項４】
前記第１共振モードは前記第２共振モードと直交し、前記第３共振モードは前記第１及び第２共振モードと直交することを特徴とする請求項１に記載の多重モード共振フィルタ。
【請求項５】
前記複数の共振モードは互いに異なる方向に形成される実質的に同一な共振モードであることを特徴とする請求項１に記載の多重モード共振フィルタ。
【請求項６】
前記複数の共振モードはＴＥ０１δモードであることを特徴とする請求項１に記載の多重モード共振フィルタ。
【請求項７】
前記誘電体共振素子は、実質的に、球、円柱、または直六面体形状であることを特徴とする請求項１に記載の多重モード共振フィルタ。
【請求項８】
前記ハウジングの内周面及び外周面のうちの少なくとも１つは、実質的に、球、円柱、または直六面体形状であることを特徴とする請求項１に記載の多重モード共振フィルタ。
【請求項９】
前記第１、第２、及び第３転送ラインは、バー形状、棒形状、または板形状であることを特徴とする請求項１に記載の多重モード共振フィルタ。
【請求項１０】
前記第１、第２、及び第３転送ラインは、前記ハウジングの内周面と前記誘電体共振素子の外周面との間に配置されることを特徴とする請求項１に記載の多重モード共振フィルタ。
【請求項１１】
前記第１、第２、及び第３転送ラインのうちの少なくとも一部の形状は、前記誘電体共振素子または前記ハウジングの形状に対応する形状を有することを特徴とする請求項１に記載の多重モード共振フィルタ。
【請求項１２】
一端が前記誘電体共振素子の下部面に連結され、他端が前記ハウジングの内周面に連結されることによって、前記誘電体共振素子が前記ハウジングの内部の中心に位置するように前記ハウジングを支持する支持部を含むことを特徴とする請求項１に記載の多重モード共振フィルタ。
【請求項１３】
前記ハウジングに固定されて入力信号が入力される入力コネクタであって、前記第１転送ラインと直接連結するか、またはカップリングする入力コネクタと、
前記ハウジングに固定され、前記結合された複数の共振モードに従って前記入力信号がカップリングされて出力される出力コネクタと、
を含むことを特徴とする請求項１に記載の多重モード共振フィルタ。
【請求項１４】
前記誘電体共振素子の中心を基準にして互いに直交するｘ軸、ｙ軸、及びｚ軸上において、
前記第１転送ラインの第一端は＋ｘ軸上に位置し、前記第１転送ラインの第二端は＋ｚ軸上に位置し、
前記第２転送ラインの第一端は＋ｚ軸上で前記第１転送ラインの第二端と連結され、前記第２転送ラインの第二端は＋ｙ軸上に位置し、
前記第３転送ラインの第一端は＋ｘ軸上で前記第１転送ラインの第一端と連結され、前記第３転送ラインの第二端は＋ｙ軸上で前記第２転送ラインの第二端と連結されることを特徴とする請求項１に記載の多重モード共振フィルタ。
【請求項１５】
前記誘電体共振素子の中心を基準にして互いに直交するｘ軸、ｙ軸、及びｚ軸上において、
前記第１転送ラインの第一端は＋ｘ軸上に位置し、前記第１転送ラインの第二端は＋ｚ軸上に位置し、
前記第２転送ラインの第一端は＋ｚ軸上で前記第１転送ラインの第二端と連結され、前記第２転送ラインの第二端は＋ｙ軸上に位置し、
前記第３転送ラインの第一端は＋ｙ軸上で前記第２転送ラインの第二端と連結され、前記第３転送ラインの第二端は−ｘ軸上の一点に位置することを特徴とする請求項１に記載の多重モード共振フィルタ。
【請求項１６】
前記誘電体共振素子の中心を基準にして互いに直交するｘ軸、ｙ軸、及びｚ軸上において、
前記第１転送ラインの第一端は＋ｘ軸上に位置し、前記第１転送ラインの第二端は＋ｚ軸上に位置し、
前記第２転送ラインの第一端は＋ｚ軸上で前記第１転送ラインの第二端と連結され、前記第２転送ラインの第二端は＋ｙ軸上に位置し、
前記第３転送ラインの第一端は＋ｙ軸上で前記第２転送ラインの第二端と連結され、前記第３転送ラインの第二端は−ｘ軸方向に延びて形成され、
前記第１転送ラインの第一端と連結され、−ｙ軸方向に延びて形成される第４転送ライン、及び前記第４転送ラインの一端に連結される金属材料からなる開放構造物をさらに含むことを特徴とする請求項１に記載の多重モード共振フィルタ。
【請求項１７】
前記第１転送ラインは第１サブ転送ラインと第２サブ転送ラインとを含み、前記第１サブ転送ラインの一部分と前記第２サブ転送ラインの一部分とは互いにオーバーラップして配置され、
前記第２転送ラインは第３サブ転送ラインと第４サブ転送ラインとを含み、前記第３サブ転送ラインの一部分と前記第４サブ転送ラインの一部分とは互いにオーバーラップして配置されることを特徴とする請求項１６に記載の多重モード共振フィルタ。
【請求項１８】
前記誘電体共振素子の中心を基準にして互いに直交するｘ軸、ｙ軸、及びｚ軸上において、
前記第１転送ラインは第１−１転送ラインと第１−２転送ラインとを含み、
前記第１−１転送ラインの第一端は＋ｘ軸上の一地点に連結され、前記第１−１転送ラインの第二端は前記ハウジングの下部の内面に接地され、
前記第１−２転送ラインの第一端は＋ｚ軸上の一地点に連結され、前記１−２転送ラインの第二端は前記ハウジングの上部の内面で接地され、
前記第２転送ラインは第２−１転送ラインと第２−２転送ラインとを含み、
前記第２−１転送ラインの第一端は＋ｙ軸上の一地点に連結され、前記第２−１転送ラインの他端は前記ハウジングの下部の内面で接地され、
前記第２−２転送ラインの一端は＋軸上で前記第１−１転送ラインの一端と連結され、前記第２−２転送ラインの第二端は前記ハウジングの上部の内面で接地され、
前記第３転送ラインは第１補助転送ラインと第２補助転送ラインとを含み、
前記第１補助転送ラインの第一端は前記第１−１転送ラインの一端と連結され、前記第１補助転送ラインの第二端は−ｙ軸方向に延長され、
前記第２補助転送ラインの第一端は前記第２−１転送ラインの第一端と連結され、前記第２補助転送ラインの第二端は−ｘ軸方向に延びることを特徴とする請求項１に記載の多重モード共振フィルタ。
【請求項１９】
第３補助転送ラインの第一端は＋ｙ軸上で前記第２−１転送ラインの第一端と連結され、その他端は＋ｚ軸方向に延びる第３補助転送ラインをさらに含むことを特徴とする請求項１８に記載の多重モード共振フィルタ。
【請求項２０】
前記ハウジングは実質的に直六面体形状であり、前記誘電体共振素子は実質的に円柱形状であることを特徴とする請求項１８に記載の多重モード共振フィルタ。
【請求項２１】
前記誘電体共振素子の中心を基準にして互いに直交するｘ軸、ｙ軸、及びｚ軸上において、
前記第１転送ラインの第一端は＋ｘ軸上に位置し、前記第１転送ラインの第二端は＋ｚ軸方向に延長され、
前記第２転送ラインは第２−１転送ラインと第２−２転送ラインとを含み、
前記第２−１転送ラインの第一端は＋ｙ軸上に位置し、前記第２−１転送ラインの第二端は＋ｚ軸方向に延長され、
前記第２−２転送ラインの第一端は−ｙ軸上に位置し、前記第２−２転送ラインの第二端は＋ｚ軸方向に延長され、
前記第３転送ラインは第３−１転送ラインと第３−２転送ラインとを含み、
前記第３−１転送ラインの第一端は＋ｙ軸上で前記第２−１転送ラインの第一端と連結され、前記第３−１転送ラインの第二端は−ｘ軸上に位置し、
前記第３−２転送ラインの第一端は−ｘ軸上で前記第２−２転送ラインの第一端と連結され、前記第３−２転送ラインの第二端は＋ｘ軸上で前記第１転送ラインの第一端と連結されることを特徴とする請求項１に記載の多重モード共振フィルタ。
【請求項２２】
前記第１転送ラインの第二端は＋ｚ軸上に位置することを特徴とする請求項２１に記載の多重モード共振フィルタ。
【請求項２３】
前記ハウジングに固定されて入力信号が入力される入力コネクタと、
前記ハウジングに固定されて出力信号が出力される出力コネクタと、を含み、
前記第１転送ラインは第１−１転送ラインと第１−２転送ラインとを含み、前記第１−１転送ラインの第一端は前記入力コネクタに連結され、前記第１−１転送ラインの第二端は＋ｚ軸方向に延長され、
前記第３−１転送ラインの第二端は前記出力コネクタに連結されることを特徴とする請求項２１に記載の多重モード共振フィルタ。
【請求項２４】
前記ハウジングに固定されて入力信号が入力される入力コネクタと、
前記ハウジングに固定されて出力信号が出力される出力コネクタと、を含み、
前記第１転送ラインは第１−１転送ラインと第１−２転送ラインとを含み、
前記第１−１転送ラインの第一端は前記入力コネクタに連結され、前記第１−１転送ラインの第二端は＋ｚ軸方向に延長され、
前記第２−１転送ラインの第一端は前記出力コネクタに連結されることを特徴とする請求項２１に記載の多重モード共振フィルタ。
【請求項２５】
前記誘電体共振素子の中心を基準にして互いに直交するｘ軸、ｙ軸、及びｚ軸上において、
前記第１転送ラインの第一端は＋ｘ軸上に位置し、前記第１転送ラインの第二端は＋ｚ軸上に位置し、
前記第２転送ラインの第一端は＋ｚ軸上で前記第１転送ラインの第二端と連結され、前記第２転送ラインの第二端は＋ｙ軸上に位置し、
前記第３転送ラインの第一端は＋ｙ軸上で前記第２転送ラインの第二端と連結され、前記第３転送ラインの他端は−ｙ軸上に位置し、
＋ｘ軸上で前記第１転送ラインの第一端と連結される入力コネクタ及びｘ軸上で前記第３転送ラインの第二端と連結される出力コネクタをさらに含むことを特徴とする請求項１に記載の多重モード共振フィルタ。
【請求項２６】
前記誘電体共振素子の中心を基準にして互いに直交するｘ軸、ｙ軸、及びｚ軸上において、
前記第２転送ラインの第一端は＋ｚ軸上に位置し、前記第２転送ラインの第二端は＋ｙ軸上に位置し、
前記第３転送ラインの第一端は＋ｙ軸上で前記第２転送ラインの第二端と連結され、前記第３転送ラインの第二端は−ｘ軸上に前記ハウジングの内面に接地され、
前記第１転送ラインの第一端は＋ｘ軸上に位置し、前記第１転送ラインの第二端は＋ｚ軸と予め設定された間隔だけ捩れて延びて前記第２転送ラインと連結され、
＋ｘ軸上で前記第１転送ラインの第一端と連結される入力コネクタと、＋ｙ軸上で前記第２転送ラインの第二端と連結される出力コネクタ、及び＋ｙ軸上で前記第２転送ラインの第二端と連結され、＋ｘ軸方向に延びて形成される補助ラインをさらに含むことを特徴とする請求項１に記載の多重モード共振フィルタ。
【請求項２７】
前記誘電体共振素子の中心を基準にして互いに直交するｘ軸、ｙ軸、及びｚ軸上において、
前記第１転送ラインの第一端は＋ｘ軸上に位置し、前記第１転送ラインの第二端は＋ｚ軸上に位置し、
前記第３転送ラインの第一端は＋ｙ軸上に位置し、前記第３転送ラインの第二端は−ｘ軸上で前記ハウジングの内面に接地され、
前記第２転送ラインの第一端は＋ｙ軸上で前記第３転送ラインの一端と連結され、前記第２転送ラインの第二端は＋ｚ軸と予め設定された間隔だけ捩れて延びて前記第１転送ラインと連結され、
＋ｘ軸上での前記第１転送ラインの第一端と連結される入力コネクタと、＋ｙ軸上で前記第２転送ラインの第二端と連結される出力コネクタ、及び＋ｙ軸上で前記第２転送ラインの第二端と連結され、＋ｘ軸方向に延びて形成される補助ラインをさらに含むことを特徴とする請求項１に記載の多重モード共振フィルタ。
【請求項２８】
前記誘電体共振素子の中心を基準にして互いに直交するｘ軸、ｙ軸、及びｚ軸上において、
前記第１転送ラインは第１−１転送ライン及び第１−２転送ラインを含み、
前記第１−１転送ラインの第一端は＋ｘ軸上で入力プローブと連結され、前記第１−１転送ラインの第二端は＋ｚ軸方向に延長され、
前記第１−２転送ラインの第一端は−ｘ軸上で出力プローブと連結され、前記第１−２転送ラインの第二端は＋ｚ軸方向に延長され、
前記第２転送ラインの第一端は＋ｙ軸上に位置し、前記第２転送ラインの第二端は＋ｚ軸方向に延長され、
前記第３転送ラインは第３−１転送ライン及び第３−２転送ラインを含み、
前記第３−１転送ラインの第一端は＋ｘ軸上で前記入力プローブと連結され、前記第３−１転送ラインの第二端は＋ｙ軸上に位置し、
前記第３−２転送ラインの第一端は＋ｙ軸上で前記第３−１転送ラインの第二端と連結され、前記第３−２転送ラインの第二端は−ｘ軸上で前記出力プローブに連結されることを特徴とする請求項１に記載の多重モード共振フィルタ。
【請求項２９】
前記第１、第２、及び第３転送ラインのうちの少なくとも１つは、前記ハウジングの内面から突出して前記ハウジングと１つの胴体で形成されることを特徴とする請求項１に記載の多重モード共振フィルタ。
【請求項３０】
多重モード共振フィルタであって、
空洞を有するハウジングと、
前記ハウジングの空洞に収容される誘電体共振素子と、
前記誘電体共振器の中心点を基準にして互いに独立的に直交する第１軸、第２軸、及び第３軸のうち、１つの軸上に存在する一地点と他の軸上に存在する一地点とを連結する複数の転送ラインを含むことを特徴とする多重モード共振フィルタ。
【請求項３１】
前記ハウジングに固定されて入力信号が入力される入力コネクタと、
前記ハウジングに固定されて出力信号が出力される出力コネクタと、を含み、
前記入力コネクタには複数の転送ラインが連結され、前記出力コネクタには少なくとも１つの転送ラインが連結されることを特徴とする請求項２９に記載の多重モード共振フィルタ。
【発明の詳細な説明】
【技術分野】
【０００１】
本発明は、共振器に関し、より詳しくは、多数の共振モードの共振周波数を出力する多重モード共振器、及びこれを用いた多重モード共振フィルタに関する。
【背景技術】
【０００２】
一般に、誘電体共振器（ＤＲ：Dielectric Resonator）を用いた高周波フィルタ（ＤＲフィルタ）、キャビティー（cavity）フィルタ、ウェーブガイド（wave guide）フィルタなどは、通常、高周波、特に超高周波を共振するための導電体容器の構造を有する。一般的なコイルとコンデンサによる共振回路は輻射損失が大きくて、超高周波に対しては不向きである。このため、ＲＦフィルタは多数の共振器で構成されるが、このような共振器は等価回路的にインダクタ（Ｌ）とキャパシタ（Ｃ）との組合せにより特定の周波数で共振する回路素子であって、各共振器は導体で囲まれた金属性の円筒または直六面体などの空洞（cavity）の内部で誘電体共振素子（ＤＲ：Dielectric Resonance element）または金属の共振棒で構成されて、該当収容空間（セル）に固有周波数の電磁場のみ存在するようにすることで、超高周波の共振を可能にする構造を有する。
【０００３】
図１は、従来の８ポール型帯域通過フィルタを示す図である。
【０００４】
図１を参照すれば、従来の帯域通過フィルタは六面体の金属の内部に所定の間隔で区画された８個の空洞を有するハウジング１１を具備し、各々の空洞には８個の高いＱ値を有する誘電体共振素子１３を支持部材を使用して固定させた構造となっている。また、ハウジング１１の一側面に取り付けられた入出力コネクタ１７と、ハウジング１１の開放面を遮蔽する蓋１２が備えられている。ここで、ハウジング１１の各空洞は各々の誘電体共振素子１３の間のカップリング量を調整するために、所定のサイズのウィンドウが形成された仕切りにより区画されており、ハウジング１１の内面は電気的な性能を安定化し、導電性を最大にするために銀メッキ処理された構造となっている。また、仕切りのウィンドウは空洞の底面から垂直に所定の間隔だけ切断された構造となっており、このウィンドウのサイズによって各空洞に取り付けられた誘電体共振素子１３の間のカップリング量を調整して不要波の発生を抑制するようにしている。また、ウィンドウ毎に上記ハウジング１１を貫通してウィンドウ内に挿入可能なカップリングネジ１５をさらに具備することによって、カップリング量の微細調整が可能である。
【０００５】
そして、ハウジング１１の各空洞に取り付けられた誘電体共振素子１３は、底面から直立するように備えられた支持部材により支持され、誘電体共振素子１３の上面には周波数を調節するためのチューニングネジ１４が備えられている。これと共に、ハウジング１１の側面には入力及び出力コネクタ１７が備えられており、これらは各々入力側及び出力側給電ライン１６と接続されている。入力側給電ラインは入力コネクタから入ってくる信号を最初の誘電体共振素子に伝達する役目をし、出力側給電ラインは最後の誘電体共振素子からの信号を出力コネクタに伝達する役目をする。
【０００６】
ところが、従来の帯域通過フィルタ（または、帯域阻止（band rejection）フィルタ）を見ると、多数個のポールを有するフィルタを構成するために多数個の空洞と各誘電体共振素子１３間を結合（coupling）するための結合手段が必須的に求められる。即ち、従来のフィルタは１つの誘電体共振素子１３が１つの共振モードのみを用いるので、多数個のポールを有する多重モード帯域通過フィルタを構成するためには、多数個の空洞と多数個の誘電体共振素子１３とが必要であり、各々の誘電体共振素子１３の間の結合のための結合手段がさらに必要であった。これは、フィルタの内部に空洞と結合手段とを収容するための十分に広い空間が必要であることを意味し、フィルタの小型化及び軽量化のためには構造的な改善が必然的に求められてきた。したがって、フィルタの小型化及び軽量化のためには、根本的に空洞及び誘電体共振素子の数を減らすことが求められる。上記空洞及び誘電体共振素子の数が多くなれば、フィルタの大型化、重量化、及び製造コストの上昇をもたらすようになる問題点がある。
【０００７】
また、従来にも国際特許公開ＷＯ２００５／０６９４２５号及び日本特許公開公報第２００１−６０８０４号に開示されたように、１つの共振素子を用いて多重モードを具現するための試みがあった。しかしながら、上記の公開された技術では誘電体共振素子が複雑な多角形状からなっているため、上記共振素子を製作する工程も複雑化することになり、これによって、製造コストが増加する問題がある。このような問題点によって上記公開された技術のように複雑な多角形状を有する共振素子及びこれを用いた共振フィルタを実際の製品で具現化した例は、まだ見当たらない。
【先行技術文献】
【特許文献】
【０００８】
【特許文献１】国際特許公開公報  ＷＯ２００５／０６９４２５号
【特許文献２】日本特許公開公報  第２００１−６０８０４号
【発明の概要】
【発明が解決しようとする課題】
【０００９】
本発明の目的は、複数個の同一モード共振周波数を互いに良好に連結できる多重モード共振フィルタを提供することにある。
【００１０】
本発明の他の目的は、小型化した多重モード共振フィルタを提供することにある。
【００１１】
本発明の更なる他の目的は、軽量化した多重モード共振フィルタを提供することにある。
【００１２】
本発明の更なる他の目的は、製造コストを低減できる多重モード共振フィルタを提供することにある。
【課題を解決するための手段】
【００１３】
本発明の一態様によれば、本発明の多重モード共振フィルタは、内部に空洞を有するハウジングと、上記ハウジングの内部に収容され、複数の共振モードを各々異なる方向に形成する誘電体共振素子と、上記複数の共振モードのうち、第１共振モードが形成される第１方向に対応して配置される第１転送ラインと、上記複数の共振モードのうち、上記第１共振モードと異なる第２共振モードが形成される第２方向に対応して配置される第２転送ラインと、上記複数の共振モードのうち、上記第１及び第２共振モードと異なる第３共振モードが形成される第３方向に対応して配置される第３転送ラインと、を含み、上記第１、第２、及び第３転送ラインは、直接連結するか、またはカップリングすることによって、上記第１、第２、及び第３共振モードを互いに結合させることを特徴とする。
【００１４】
また、本発明の多重モード共振フィルタは、上記ハウジングに固定されて入力信号が入力される入力コネクタと、上記ハウジングに固定されて出力信号が出力される出力コネクタと、を含み、上記第１及び第２転送ラインは上記入力コネクタに連結され、上記第３転送ラインは上記出力コネクタに直接連結されることを特徴とする。
【００１５】
また、本発明の多重モード共振フィルタは、上記ハウジングに固定されて入力信号が入力される入力コネクタと、上記ハウジングに固定されて出力信号が出力される出力コネクタと、補助転送ラインと、を含み、上記第１及び第２転送ラインは上記入力コネクタに連結され、上記第３転送ラインは上記出力コネクタに連結され、上記補助転送ラインは上記入力コネクタ及び上記出力コネクタのうち、いずれか１つに連結されることを特徴とする。
【００１６】
また、本発明の多重モード共振フィルタは、上記第１共振モードは上記第２共振モードと直交し、上記第３共振モードは上記第１及び第２共振モードと直交することを特徴とする。
【００１７】
また、本発明の多重モード共振フィルタは、上記複数の共振モードは互いに異なる方向に形成される実質的に同一な共振モードであることを特徴とする。
【００１８】
また、本発明の多重モード共振フィルタは、上記複数の共振モードはＴＥ０１δモードであることを特徴とする。
【００１９】
また、本発明の多重モード共振フィルタは、上記誘電体共振素子は、実質的に、球、円柱、または直六面体形状であることを特徴とする。
【００２０】
また、本発明の多重モード共振フィルタは、上記ハウジングの内周面及び外周面のうちの少なくとも１つは、実質的に、球、円柱、または直六面体形状であることを特徴とする。
【００２１】
また、本発明の多重モード共振フィルタは、上記第１、第２、及び第３転送ラインは、バー形状、棒形状、または板形状であることを特徴とする。
【００２２】
また、本発明の多重モード共振フィルタは、上記第１、第２、及び第３転送ラインは、上記ハウジングの内周面と上記誘電体共振素子の外周面との間に配置されることを特徴とする。
【００２３】
また、本発明の多重モード共振フィルタは、上記第１、第２、及び第３転送ラインのうちの少なくとも一部の形状は、上記誘電体共振素子または上記ハウジングの形状に対応する形状を有することを特徴とする。
【００２４】
また、本発明の多重モード共振フィルタは、一端が上記誘電体共振素子の下部面に連結され、他端が上記ハウジングの内周面に連結されることによって、上記誘電体共振素子が上記ハウジングの内部の中心に位置するように上記ハウジングを支持する支持部を含むことを特徴とする。
【００２５】
また、本発明の多重モード共振フィルタは、上記ハウジングに固定されて入力信号が入力され、上記第１転送ラインと直接連結するか、またはカップリングする入力コネクタと、上記ハウジングに固定され、上記結合された複数の共振モードに従って上記入力信号がカップリングされて出力される出力コネクタと、を含むことを特徴とする。
【００２６】
また、本発明の多重モード共振フィルタは、上記誘電体共振素子の中心を基準にして互いに直交するｘ軸、ｙ軸、及びｚ軸上において、上記第１転送ラインの第一端は＋ｘ軸上に位置し、上記第１転送ラインの第二端は＋ｚ軸上に位置し、上記第２転送ラインの第一端は＋ｚ軸上で上記第１転送ラインの第二端と連結され、上記第２転送ラインの第二端は＋ｙ軸上に位置し、上記第３転送ラインの第一端は＋ｘ軸上で上記第１転送ラインの第一端と連結され、上記第３転送ラインの第二端は＋ｙ軸上で上記第２転送ラインの第二端と連結されることを特徴とする。
【００２７】
また、本発明の多重モード共振フィルタは、上記誘電体共振素子の中心を基準にして互いに直交するｘ軸、ｙ軸、及びｚ軸上において、上記第１転送ラインの第一端は＋ｘ軸上に位置し、上記第１転送ラインの第二端は＋ｚ軸上に位置し、上記第２転送ラインの第一端は＋ｚ軸上で上記第１転送ラインの第二端と連結され、上記第２転送ラインの第二端は＋ｙ軸上に位置し、上記第３転送ラインの第一端は＋ｙ軸上で上記第２転送ラインの第二端と連結され、上記第３転送ラインの第二端は−ｘ軸上の一地点に位置することを特徴とする。
【００２８】
また、本発明の多重モード共振フィルタは、上記誘電体共振素子の中心を基準にして互いに直交するｘ軸、ｙ軸、及びｚ軸上において、上記第１転送ラインの第一端は＋ｘ軸上に位置し、上記第１転送ラインの第二端は＋ｚ軸上に位置し、上記第２転送ラインの第一端は＋ｚ軸上で上記第１転送ラインの第二端と連結され、上記第２転送ラインの第二端は＋ｙ軸上に位置し、上記第３転送ラインの第一端は＋ｙ軸上で上記第２転送ラインの第二端と連結され、上記第３転送ラインの第二端は−ｘ軸方向に延びて形成され、上記第１転送ラインの第一端と連結され、−ｙ軸方向に延びて形成される第４転送ライン、及び上記第４転送ラインの第一端に連結される金属材料からなる開放構造物をさらに含むことを特徴とする。
【００２９】
また、本発明の多重モード共振フィルタは、上記第１転送ラインは第１サブ転送ラインと第２サブ転送ラインとを含み、上記第１サブ転送ラインの一部分と上記第２サブ転送ラインの一部分とは互いにオーバーラップ（overlap）して配置され、上記第２転送ラインは第３サブ転送ラインと第４サブ転送ラインとを含み、上記第３サブ転送ラインの一部分と上記第４サブ転送ラインの一部分とは互いにオーバーラップ（overlap）して配置されることを特徴とする。
【００３０】
また、本発明の多重モード共振フィルタは、上記誘電体共振素子の中心を基準にして互いに直交するｘ軸、ｙ軸、及びｚ軸上において、上記第１転送ラインは第１−１転送ラインと第１−２転送ラインとを含み、上記第１−１転送ラインの第一端は＋ｘ軸上の一地点に連結され、上記第１−１転送ラインの第二端は上記ハウジングの下部の内面に接地され、上記第１−２転送ラインの第一端は＋ｚ軸上の一地点に連結され、上記１−２転送ラインの第二端は上記ハウジングの上部の内面に接地され、上記第２転送ラインは第２−１転送ラインと第２−２転送ラインとを含み、上記第２−１転送ラインの第一端は＋ｙ軸上の一地点に連結され、上記第２−１転送ラインの第二端は上記ハウジングの下部の内面に接地され、上記第２−２転送ラインの第一端は＋軸上で上記第１−１転送ラインの第一端と連結され、上記第２−２転送ラインの第二端は上記ハウジングの上部の内面に接地され、上記第３転送ラインは第１補助転送ラインと第２補助転送ラインとを含み、上記第１補助転送ラインの第一端は＋ｘ軸上で上記第１−１転送ラインの第一端と連結され、上記第１補助転送ラインの第二端は−ｙ軸方向に延長され、上記第２補助転送ラインの第一端は＋ｙ軸上で上記第２−１転送ラインの第一端と連結され、上記第２補助転送ラインの第二端は−ｘ軸方向に延びることを特徴とする。
【００３１】
また、本発明の多重モード共振フィルタは、第一端が＋ｙ軸上で上記第２−１転送ラインの第一端と連結され、その第二端は上記ハウジングの上部に向けて延びる第３補助ラインをさらに含むことを特徴とする。
【００３２】
また、本発明の多重モード共振フィルタは、上記ハウジングは実質的に直六面体形状であり、上記誘電体共振素子は実質的に円柱形状であることを特徴とする。
【００３３】
また、本発明の多重モード共振フィルタは、上記誘電体共振素子の中心を基準にして互いに直交するｘ軸、ｙ軸、及びｚ軸上において、上記第１転送ラインの第一端は＋ｘ軸上に位置し、上記第１転送ラインの第二端は＋ｚ軸方向に延長され、上記第２転送ラインの第２−１転送ラインと第２−２転送ラインとを含み、上記第２−１転送ラインの第一端は＋ｙ軸上に位置し、上記第２−１転送ラインの第二端は＋ｚ軸方向に延長され、上記第２−２転送ラインの第一端は−ｙ軸上に位置し、上記第２−２転送ラインの第二端は＋ｚ軸方向に延長され、上記第３転送ラインの第３−１転送ラインと第３−２転送ラインとを含み、上記第３−１転送ラインの第一端は＋ｙ軸上で上記第２−１転送ラインの第一端と連結され、上記第３−１転送ラインの第二端は−ｘ軸上に位置し、上記第３−２転送ラインの第一端は−ｘ軸上で上記第２−２転送ラインの第一端と連結され、上記第３−２転送ラインの第二端は＋ｘ軸上で上記第１転送ラインの第一端と連結されることを特徴とする。
【００３４】
また、本発明の多重モード共振フィルタは、上記第１転送ラインの第二端は＋ｚ軸上に位置することを特徴とする。
【００３５】
また、本発明の多重モード共振フィルタは、上記ハウジングの一側に固定されて入力信号が入力される入力コネクタと、上記ハウジングの他側に固定されて出力信号が出力される出力コネクタと、を含み、上記第１転送ラインは第１−１転送ラインと第１−２転送ラインとを含み、上記第１−１転送ラインの第一端は上記入力コネクタに連結され、上記第１−１転送ラインの第二端は＋ｚ軸方向に延長され、上記第３−１転送ラインの第二端は上記出力コネクタに連結されることを特徴とする。
【００３６】
また、本発明の多重モード共振フィルタは、上記ハウジングに固定されて入力信号が入力される入力コネクタと、上記ハウジングに固定されて出力信号が出力される出力コネクタと、を含み、上記第１転送ラインは第１−１転送ラインと第１−２転送ラインとを含み、上記第１−１転送ラインの第一端は上記入力コネクタに連結され、上記第１−１転送ラインの第二端は＋ｚ軸方向に延長され、上記第２−１転送ラインの第一端は上記出力コネクタに連結されることを特徴とする。
【００３７】
また、本発明の多重モード共振フィルタは、上記誘電体共振素子の中心を基準にして互いに直交するｘ軸、ｙ軸、及びｚ軸上において、上記第１転送ラインの第一端は＋ｘ軸上に位置し、上記第１転送ラインの第二端は＋ｚ軸上に位置し、上記第２転送ラインの第一端は＋ｚ軸上で上記第１転送ラインの第二端と連結され、上記第２転送ラインの第二端は＋ｙ軸上に位置し、上記第３転送ラインの第一端は＋ｙ軸上で上記第２転送ラインの第二端と連結され、上記第３転送ラインの第二端は−ｘ軸上に位置し、＋ｘ軸上で上記第１転送ラインの第一端と連結される入力コネクタ及びｘ軸上で上記第３転送ラインの第二端と連結される出力コネクタをさらに含むことを特徴とする。
【００３８】
また、本発明の多重モード共振フィルタは、上記誘電体共振素子の中心を基準にして互いに直交するｘ軸、ｙ軸、及びｚ軸上において、上記第２転送ラインの第一端は＋ｚ軸上に位置し、上記第２転送ラインの第二端は＋ｙ軸上に位置し、上記第３転送ラインの第一端は＋ｙ軸上で上記第２転送ラインの第二端と連結され、上記第３転送ラインの第二端は−ｘ軸上に上記ハウジングの内面に接地され、上記第１転送ラインの第一端は＋ｘ軸上に位置し、上記第１転送ラインの第二端は＋ｚ軸と予め設定された間隔だけ捩れて延びて上記第２転送ラインと連結され、＋ｘ軸上で上記第１転送ラインの第一端と連結される入力コネクタと、＋ｙ軸上で上記第２転送ラインの第二端と連結される出力コネクタ、及び＋ｙ軸上で上記第２転送ラインの第二端と連結され、＋ｘ軸方向に延びて形成される補助ラインをさらに含むことを特徴とする。
【００３９】
また、本発明の多重モード共振フィルタは、上記誘電体共振素子の中心を基準にして互いに直交するｘ軸、ｙ軸、及びｚ軸上において、上記第１転送ラインの第一端は＋ｘ軸上に位置し、上記第１転送ラインの第二端は＋ｚ軸上に位置し、上記第３転送ラインの第一端は＋ｙ軸上に位置し、上記第３転送ラインの第二端は−ｘ軸上で上記ハウジングの内面に接地され、上記第２転送ラインの第一端は＋ｙ軸上で上記第３転送ラインの第一端と連結され、上記第２転送ラインの第二端は＋ｚ軸と予め設定された間隔だけ捩れて延びて上記第１転送ラインと連結され、＋ｘ軸上での上記第１転送ラインの第一端と連結される入力コネクタと、＋ｙ軸上で上記第２転送ラインの第二端と連結される出力コネクタ、及び＋ｙ軸上で上記第２転送ラインの第二端と連結され、＋ｘ軸方向に延びて形成される補助ラインをさらに含むことを特徴とする。
【００４０】
また、本発明の多重モード共振フィルタは、上記誘電体共振素子の中心を基準にして互いに直交するｘ軸、ｙ軸、及びｚ軸上において、上記第１転送ラインは第１−１転送ライン及び第１−２転送ラインを含み、上記第１−１転送ラインの第一端は＋ｘ軸上で入力プローブと連結され、上記第１−１転送ラインの第二端は＋ｚ軸方向に延長され、上記第１−２転送ラインの第一端は−ｘ軸上で出力プローブと連結され、上記第１−２転送ラインの第二端は＋ｚ軸方向に延長され、上記第２転送ラインの第一端は＋ｙ軸上に位置し、上記第２転送ラインの第二端は＋ｚ軸方向に延長され、上記第３転送ラインは第３−１転送ライン及び第３−２転送ラインを含み、上記第３−１転送ラインの第一端は＋ｘ軸上で上記入力プローブと連結され、上記第３−１転送ラインの第二端は＋ｙ軸上に位置し、上記第３−２転送ラインの第一端は＋ｙ軸上で上記第３−１転送ラインの第二端と連結され、上記第３−２転送ラインの第二端は−ｘ軸上で上記出力プローブに連結されることを特徴とする。
【００４１】
また、本発明の多重モード共振フィルタは、第１、第２、及び第３転送ラインのうちの少なくとも１つは、上記ハウジングの内面から突出して上記ハウジングと１つの胴体で形成されることを特徴とする。
【００４２】
また、本発明の多重モード共振フィルタは、多重モード共振フィルタであって、空洞を有するハウジングと、上記ハウジングの空洞に収容される誘電体共振素子と、上記誘電体共振器の中心点を基準にして互いに独立的に直交する第１軸、第２軸、及び第３軸のうち、１つの軸上に存在する一地点と他の軸上に存在する一地点とを連結する複数の転送ラインを含むことを特徴とする。
【００４３】
また、本発明の多重モード共振フィルタは、上記ハウジングに固定されて入力信号が入力される入力コネクタと、上記ハウジングに固定されて出力信号が出力される出力コネクタと、を含み、上記入力コネクタには複数の転送ラインが連結され、上記出力コネクタには少なくとも１つの転送ラインが連結されることを特徴とする。
【発明の効果】
【００４４】
前述したように、本発明に係る多重モード共振フィルタは、１つの共振器に同一モードの共振周波数を多数個提供できる利点がある。
【００４５】
これによって、フィルタの小型化、軽量化、及び製造コストを低減できる利点がある。
【００４６】
また、本発明によれば、簡単な構造の誘電体共振素子を用いながらも、転送ライン同士間の連結関係を通じて多数のモードを結合させることができ、ノッチ（notch）の位置及び個数を容易に調整できるようになることで、添付の特性グラフに示されるように、フィルタ、デュプレクサ（duplexer）などに利用できる優れた特性を有していることが分かる。
【図面の簡単な説明】
【００４７】
【図１】従来の８ポール（pole）型帯域通過（bandpass）フィルタの斜視図である。
【図２】本発明の第１実施形態に係る帯域通過フィルタに該当する多重モード共振フィルタの斜視図である。
【図３】本発明の第１実施形態に係る帯域通過フィルタに該当する多重モード共振フィルタの斜視図である。
【図４】本発明に係る誘電体共振器により形成される共振モードを示す図である。
【図５】図２及び図３において、第３転送ラインの他の連結状態を示す図である。
【図６】図２及び図３のフィルタリング特性グラフである。
【図７】本発明の第２実施形態に係る帯域阻止フィルタに該当する多重モード共振フィルタの斜視図である。
【図８】本発明の第２実施形態に係る帯域阻止フィルタに該当する多重モード共振フィルタの斜視図である。
【図９】図７及び図８のフィルタリング特性の一例を示す図である。
【図１０】本発明に係る多重モード共振フィルタに適用可能な誘電体共振素子構造の一例を示す斜視図である。
【図１１】本発明に係る多重モード共振フィルタに適用可能な誘電体共振素子構造の他の例を示す斜視図である。
【図１２】本発明の第３実施形態に係る多重モード共振フィルタの構造を示す斜視図である。
【図１３】本発明の第３実施形態に係る多重モード共振フィルタの構造を示す斜視図である。
【図１４】本発明の第４実施形態に係る多重モード共振フィルタの構造を示す斜視図である。
【図１５】本発明の第４実施形態に係る多重モード共振フィルタの構造を示す斜視図である。
【図１６】本発明の第５実施形態に係る多重モード共振フィルタの構造を示す斜視図である。
【図１７】本発明の第５実施形態に係る多重モード共振フィルタの構造を示す平面図である。
【図１８】図１６及び図１７のフィルタリング特性の一例を示す図である。
【図１９】本発明の第６実施形態に係る多重モード共振フィルタの構造を示す斜視図である。
【図２０】本発明の第６実施形態に係る多重モード共振フィルタの構造を示す平面図である。
【図２１】図１９及び図２０のフィルタリング特性の一例を示す図である。
【図２２】本発明の第７実施形態に係る多重モード共振フィルタの構造を示す斜視図である。
【図２３】図２２のフィルタリング特性の一例を示す図である。
【図２４】本発明の第８実施形態に係る多重モード共振フィルタの構造を示す斜視図である。
【図２５】図２４のフィルタリング特性の一例を示す図である。
【図２６】本発明の第９実施形態に係る多重モード共振フィルタの構造を示す斜視図である。
【図２７】本発明の第９実施形態に係る多重モード共振フィルタの構造を示す平面図である。
【図２８】本発明の第１０実施形態に係る多重モード共振フィルタの構造を示す斜視図である。
【図２９】本発明の第１０実施形態に係る多重モード共振フィルタの構造を示す平面図である。
【図３０】図２８及び図２９のフィルタリング特性の一例を示す図である。
【図３１】本発明の第１１実施形態に係る多重モード共振フィルタの構造を示す斜視図である。
【図３２】本発明の第１１実施形態に係る多重モード共振フィルタの構造を示す平面図である。
【図３３】図３１及び図３２のフィルタリング特性の一例を示す図である。
【図３４】本発明の第１２実施形態に係る多重モード共振フィルタの構造を示す斜視図である。
【図３５】本発明の第１２実施形態に係る多重モード共振フィルタの構造を示す平面図である。
【図３６】図３４及び図３５のフィルタリング特性の一例を示す図である。
【図３７】本発明の第１３実施形態に係る多重モード共振フィルタの構造を示す斜視図である。
【図３８】本発明の第１３実施形態に係る多重モード共振フィルタの構造を示す平面図である。
【図３９】図３７及び図３８のフィルタリング特性の一例を示す図である。
【図４０】本発明の第１４実施形態に係る多重モード共振フィルタの構造を示す斜視図である。
【図４１】本発明の第１４実施形態に係る多重モード共振フィルタの構造を示す平面図である。
【図４２】図４０及び図４１のフィルタリング特性の一例を示す図である。
【図４３】本発明の第１５実施形態に係る多重モード共振フィルタの構造を示す斜視図である。
【図４４】図４３のフィルタリング特性の一例を示す図である。
【図４５】本発明の第１６実施形態に係る多重モード共振フィルタの構造を示す斜視図である。
【図４６】図４５のフィルタリング特性の一例を示す図である。
【図４７】本発明の第１７実施形態に係る多重モード共振フィルタの構造を示す斜視図である。
【図４８】本発明の第１７実施形態に係る多重モード共振フィルタの構造を示す平面図である。
【図４９】図４７及び図４８のフィルタリング特性の一例を示す図である。
【図５０】本発明の第１８実施形態に係る多重モード共振フィルタの構造を示す斜視図である。
【図５１】図５０の平面図である。
【図５２】図５０の側面図である。
【図５３】図５０乃至図５２のフィルタリング特性の一例を示す図である。
【発明を実施するための形態】
【００４８】
以下、本発明に係る好ましい実施形態を添付の図面を参照しつつ詳細に説明する。以下の説明で開示される具体例は、本発明の包括的な理解を助けるために提供されるものであり、このような具体例に対して、この技術分野で通常の知識を有する者であれば本発明の技術的思想の範囲内で容易に所定の変形や変更をすることができることは自明である。
【００４９】
本発明は、多数の共振モードを提供する多重モード共振器及び多重モード共振フィルタを提案する。従来、３個の共振モードを提供するためには、３個の空洞と、各空洞に１つずつの誘電体共振素子を具備することが一般的であった。
【００５０】
しかしながら、本発明に係る多重モード共振器及び多重モード共振フィルタは、単に１つの空洞と、この１つの空洞に１つの誘電体共振素子だけで３個の共振モードを提供することが可能である。ここで、上記共振モードの数として挙げた３個という数は、一例として提示した個数にすぎない。本発明は少なくとも２以上の共振モードを提供する多重モード共振フィルタに適用可能である。また、本発明では複数のＴＥ０１δモード（例えば、３個のＴＥ０１δモード）、または複数のＴＭ０１δモードを結合する多重モード共振器を提供する。
【００５１】
以下の説明において、転送ライン、入／出力プローブ、接地部材、及びハウジングのような金属材料からなる構成要素の間の‘連結（connection）’という表現は、各構成要素の間で互いに接触した直接的な連結（direct connection）だけでなく、各構成要素が所定の間隔を置いて空間的に離れて配置されていても、電磁場的な結合によって相互に電力を伝達できる位置に存在するときに生じる、いわゆるカップリングによる結合状態も含む。したがって、‘直接連結する’または‘カップリングされる’のように、特段に区別して記載しなければ、‘連結’という表現は‘直接連結’される場合だけでなく、‘カップリング’される場合も含んでいる。
【００５２】
図２は本発明の第１実施形態に係る多重モード共振フィルタの斜視図であり、図３は帯域通過フィルタ（ＢＰＦ：Band Pass Filter）の具現化された構造を示すために、図２に示されたハウジングを一部取り除いた形で描いたものである。
【００５３】
図２及び３を参照すると、本発明の第１実施形態に係る多重モード共振フィルタ２０は、その内部に空気層が形成された球形または球形と類似な形状の空洞を有するハウジング２００を具備する。即ち、ハウジング２００の内周面は実質的に球形である。ハウジング２００は、アルミニウム、マグネシウム、または銀メッキされたプラスチックの構造物等の金属性材料で形成することができる。また、ハウジング２００の内部は、隔壁のような構造物によって複数の独立した空間に区分されることがなく、単一の空洞である。
【００５４】
ハウジング２００の外周面も球形または球形と類似な形状を有している。即ち、ハウジング２００の外周面は実質的に球形である。また、多重モード共振フィルタ２０は、ハウジング２００内部の空洞の中心近傍に収容される誘電体共振素子２１１を具備するが、この誘電体共振素子２１１も球形または球形と類似な形状を有するように設計されている。なお、誘電体共振素子２１１は、電子セラミックのように２０〜９０の比誘電率（εｒ）を有する多様な材質の誘電体で形成できる。
【００５５】
さらに、誘電体共振素子２１１は、Ａｌ２Ｏ３、テフロン、及びエンジニアリングプラスチックのような材質の支持部材２１３により支持されている。支持部材２１３の比誘電率は２〜１５であって、誘電体共振素子２１１の誘電率に比べて相対的に低い誘電率を有するようにすることで、フィルタ２０のＱ値（Quality factor）が低下することを防止している。上記支持部材２１３は円柱形状であって、その一端（例えば、円柱の上面）が誘電体共振素子２１１の下部面に連結され、他端（例えば、円柱の底面）がハウジング２００の内周面に連結されることによって、誘電体共振素子２１１がハウジング２００内部の空洞の中心に位置するように誘電体共振素子２１１を支持する。支持部材２１３の支持面（例えば円柱の上面）の直径は誘電体共振素子２１１の直径よりは小さいが、誘電体共振素子２１１を支持するには充分なサイズを有する様に形成されている。
【００５６】
また、多重モード共振フィルタ２０には上記誘電体共振素子２１１の中心点を基準とする互いに独立した直交軸である第１軸、第２軸、及び第３軸（例えば、ｘ軸、ｙ軸、ｚ軸）のうち、予め選択された一軸（例えば、ｘ軸）上に存在するある１つの地点と、他のいずれかの一軸（例えば、ｚ軸）に存在するある１つの地点とを連結する少なくとも一つの転送ライン（例えば、図２及び図３に図示された第１転送ライン２０７並びに第２転送ライン２０８）が設けられている。この際、上記少なくとも一つの転送ラインは、誘電体共振素子２１１とハウジング２００の内周面との間にある空洞において、他の転送ラインから適当な距離を置いて配置されている。即ち、上記少なくとも一つの転送ラインは、上記誘電体共振素子２１１及びハウジング２００のそれぞれから離して配置されている。
【００５７】
図２及び図３の例では、上記ｘ軸上のある一地点とｚ軸上のある一地点とを連結する第１転送ライン２０７だけでなく、ｚ軸上のある一地点とｙ軸上のある一地点とを連結する第２転送ライン２０８、及びｙ軸上のある一地点とｘ軸上のある一地点とを連結する第３転送ライン２０９が図示されている。
【００５８】
上記第１、第２、及び第３転送ライン２０７、２０８、２０９は、図示したように、バー（bar）形状の金属で形成できるが、これに限定されるものではなく、ロッド（rod）形状または板形状の金属で形成してもよい。併せて、上記第１、第２、及び第３転送ライン２０７、２０８、２０９は、誘電体共振素子２１１の外周面形状またはハウジング２００の内周面形状に対応する曲線形状や、直線形状で形成することができる。
【００５９】
図４は、本発明に係る誘電体共振素子により形成される共振モードの例を示す図である。
【００６０】
図４に示す様に、実質的な球形を有する誘電体共振素子２１１は、互いに直交する実質的に同一な共振モードを３個形成することが知られている。また、誘電体共振素子２１１が円柱または直六面体形状を有する場合は勿論であるが、形状の一部が円柱または直六面体形状から切欠されていたとしても、実質的に円柱または直六面体形状を有する場合には、図４のように互いに直交する複数の同一な共振モードが形成されるということが知られている。
【００６１】
例えば、図４に示すように、上記３個の共振モードは全てＴＥ０１δモードであって、これらのモードは、それぞれｘ軸に垂直な平面（ｙ−ｚ平面）にドミナント（dominant）共振が形成されるＴＥ０１δｘモードと、ｙ軸に垂直な平面（ｚ−ｘ平面）にドミナント共振が形成されるＴＥ０１δｙモードと、ｚ軸に垂直な平面（ｘ−ｙ平面）にドミナント共振が形成されるＴＥ０１δｚモードとに区分することができる。また、上記誘電体共振素子２１１により互いに直交する３個のＴＭ０１δモードを形成することもできる。これら３個のＴＭ０１δモードも、ｘ軸に垂直な平面（ｙ−ｚ平面）にドミナント共振が形成されるＴＭ０１δｘモードと、ｙ軸に垂直な平面（ｚ−ｘ平面）にドミナント共振が形成されるＴＭ０１δｙモードと、ｚ軸に垂直な平面（ｘ−ｙ平面）にドミナント共振が形成されるＴＭ０１δｚモードとに区分することができる。この例においては、ＴＭ０１δｘモード、ＴＭ０１δｙモード、及びＴＭ０１δｚモードの各方向は、図４に示す上記したＴＥ０１δｘモード、ＴＥ０１δｙモード、及びＴＥ０１δｚモードの各方向と実質的に一致する。
【００６２】
上記第１転送ライン２０７は、ｙ軸方向に垂直な平面にドミナント共振が形成される第１共振モード（例えば、ＴＥ０１δｙモード）の方向に沿って配置されることで、第１共振モード（例えば、ＴＥ０１δｙモード）の磁界（または、電界）とカップリングされる。また、第１転送ライン２０７は、上記ｘ軸方向に垂直な平面にドミナント共振が形成される第２共振モード（例えば、ＴＥ０１δｘモード）の磁界（または、電界）と、ｚ軸方向に垂直な平面にドミナント共振が形成される第３共振モード（例えば、ＴＥ０１δｚモード）の磁界（または、電界）とを互いにカップリングするために設置される。
【００６３】
同様に、第２転送ライン２０８はｘ軸方向に垂直な平面にドミナント共振が形成される第２共振モード（例えば、ＴＥ０１δｘモード）の方向に沿って配置されることによって、第２共振モード（例えば、ＴＥ０１δｘモード）とカップリングされる。また、第２転送ライン２０８は、上記ｚ軸方向に垂直な平面にドミナント共振が形成される第３共振モード（例えば、ＴＥ０１δｚモード）の磁界（または、電界）と、ｙ軸方向に垂直な平面にドミナント共振が形成される第１共振モード（例えば、ＴＥ０１δｙモード）の磁界（または、電界）とを互いにカップリングするために設置される。
【００６４】
第３転送ライン２０９は、ｚ軸方向に垂直な平面にドミナント共振が形成される第３共振モード（例えば、ＴＥ０１δｚモード）の方向に沿って配列されることによって、第３共振モード（例えば、ＴＥ０１δｚモード）とカップリングされる。また、第３転送ライン２０９は、第１共振モードの磁界（または、電界）を第３共振モードの磁界（または、電界）とカップリングすることでノッチ（notch）特性を有するように構成される。
【００６５】
上記第１乃至第３転送ライン２０７、２０８、２０９の間の連結関係を図２及び図３に従って説明すれば、次の通りである。第１転送ライン２０７の第一端はｘ軸上に位置し、第二端はｚ軸上に位置する。第２転送ライン２０８の第一端はｚ軸上で第１転送ライン２０７の第二端と連結され、上記第２転送ライン２０８の第二端はｙ軸上に位置する。また、第３転送ライン２０９の第一端はｘ軸上で第１転送ライン２０７の第一端と連結され、第３転送ライン２０９の第二端はｙ軸上で第２転送ライン２０８の第二端と連結される。
【００６６】
このように、本発明によれば、上記第１転送ライン２０７及び第２転送ライン２０８を用いて直交する３個の共振モードを容易に互いに結合できる利点がある。即ち、本発明によれば、実質的な球形のように単純な形状の誘電体共振素子２１１を利用しながらも、簡単な構造の第１転送ライン２０７と第２転送ライン２０８を互いに連結することによって、上記誘電体共振素子２１１により形成される多数の共振モードを容易に結合できる利点がある。また、前述したように、第３転送ライン２０９を用いてノッチ特性を提供することができ、上記ノッチ（notch）の位置を容易に調整することができるため、希望するフィルタ特性を容易に具現化できる。以下に上記ノッチの個数及び位置を調整する方法についてより詳細に説明する。
なお、第３転送ライン２０９は、フィルタの具現化の仕方によっては省略することができる。ハウジング２００において、ｘ軸方向の上記第１転送ライン２０７の終端と対向する部分には入力コネクタ２０１が設置され、ｙ軸方向の上記第２転送ライン２０８の終端と対向する部分には出力コネクタ２０３が設置されている。
【００６７】
具体的には、上記ハウジング２００上で、第１転送ライン２０７の第二端と第３転送ライン２０９の第一端とが連結される第１接点に対応する位置（例えば、上記ハウジング２００上で上記第１接点に最も近い位置）に入力コネクタ２０１が設置される。この例においては、入力コネクタ２０１はハウジング２００の外部に位置して信号入力装置と着脱可能に結合される連結部２０１−１と、入力コネクタ２０１をハウジング２００の外周面に固定する四角形の固定プレート２０１−２と、上記連結部２０１−１の内部に配置されて入力信号をハウジング２００の内部に伝達する中心ピン２０１−３と、を含む。例えば、図２及び図３を参照すれば、入力コネクタ２０１の連結部２０１−１と中心ピン２０１−３は、誘電体共振素子２１１の中心からｘ軸上に沿って延長した仮想線上に配置されている。この際、ハウジング２００の外周面で入力コネクタ２０１が固定される部分は、平らに切削加工することで、上記固定プレート２０１−２を安定的に取り付けることができる。
【００６８】
ハウジング２００上で、第２転送ライン２０８の第二端と第３転送ライン２０９の第二端とが連結される第２接点に対応する位置（例えば、ハウジング２００上の、第２接点に最も近い位置）には出力コネクタ２０３が設置される。この出力コネクタ２０３は、ハウジング２００の外部に位置して信号出力装置と着脱可能に結合される連結部２０３−１と、出力コネクタ２０３をハウジング２００に固定する四角形の固定プレート２０３−２と、連結部２０３−１の内部に配置されてフィルタ２０から出力信号を受信する中心ピン２０３−３と、を含む。例えば、図２及び図３を参照すれば、出力コネクタ２０３の連結部２０３−１と中心ピン２０３−３は、誘電体共振素子２１１の中心を基点とするｙ軸上に配置されている。この際、ハウジング２００上で出力コネクタ２０３が固定される部分は、平らに切削加工することで、上記固定プレート２０３−２を安定的に取り付けることが可能となる。
【００６９】
この例においては、入力コネクタ２０１の中心ピン２０１−３には入力プローブ２２１の一端が連結されており、入力信号をこの入力プローブ２２１に伝達する。また、入力プローブ２２１の他端はハウジング２００の内部に配置されている。入力プローブ２２１は、上記第１転送ライン２０７と第３転送ライン２０９とは、空間的には離れた位置に置かれているが、カップリングにより第１転送ライン２０７と第３転送ライン２０９とに入力信号を提供することができる。また、出力コネクタ２０３の中心ピン２０３−３には出力プローブ２２３の一端が連結されている。この出力プローブ２２３の他端はハウジング２００の内部に配置されている。出力プローブ２２３は、第２転送ライン２０８及び第３転送ライン２０９とは、空間的には離れた位置に置かれているが、カップリングによって第２転送ライン２０８及び第３転送ライン２０９から出力信号を受信することができる。また、上記入力コネクタ２０１及び出力コネクタ２０３は、ｘ軸、ｙ軸、ｚ軸のいずれの軸上にも設置可能である。即ち、この入力コネクタ２０１及び出力コネクタ２０３は、上記ｘ軸、ｙ軸、或いはｚ軸のいずれかと交差するハウジング２００上の位置に設置可能である。
【００７０】
上記入力コネクタ２０１は誘電体共振素子２１１の中心からｘ軸に沿って延長された仮想線上に位置し、このｘ軸の仮想線は入力コネクタ２０１の中心と合致している。また、上記出力コネクタ２０３は、誘電体共振素子２１１の中心からｙ軸に沿って延長された仮想線上に位置し、このｙ軸の仮想線は出力コネクタ２０３の中心と合致している。したがって、上記入力コネクタ２０１と出力コネクタ２０３とは、誘電体共振素子２１１の中心を基準にして９０度の角度を有するように配置されている。
【００７１】
このような構造において、上記ハウジング２００でｘ軸、ｙ軸、ｚ軸を基準にして各極（pole）及び各極の間には共振周波数のチューニング及び共振間カップリング値を調整するための第１乃至第３のチューニングプローブ（probe）２１５、２１７、２１９が設置されている。このようなチューニングプローブ２１５、２１７、２１９は、該当位置の共振周波数及びカップリング値を微細（fine）に調節する用途に使用されるものであるが、必要によって省略することもできる。例えば、第１プローブ２１５はｘ軸上に位置し、ハウジング２００上にある入力コネクタ２０１とは反対側に設置されている。また、第３プローブ２１９はｙ軸上に位置し、ハウジング２００上にある出力コネクタ２０３とは反対側に設置されている。そして、第２プローブ２１７はｚ軸上に位置し、ハウジング２００の上段部に設置されている。この際、ハウジング２００の外周面上でチューニングプローブ２１５、２１７、２１９が設置される部分は、平らに切削加工することで、上記チューニングプローブ２１５、２１７、２１９を安定的に取り付けることができる。
【００７２】
一方、上記入力及び出力コネクタ２０１、２０３側にもチューニングプローブ２２１、２２３を設置できる。このようなチューニングプローブ２２１、２２３は、上記入／出力コネクタ２０１、２０３の各中心ピン２０１−３、２０３−３に対してネジ結合構造を通じて突出または引込可能なピン形態で設計できる。この際、上記第１転送ライン２０７または第２転送ライン２０８とから僅かに離れるように設置される。上記チューニングプローブ２２１、２２３は、各々入力プローブ２２１及び出力プローブ２２３に区分できる。
【００７３】
したがって、上記入／出力コネクタ２０１、２０３に設置されたチューニングプローブ２２１、２２３は、給電のための機能と共に、上記誘電体共振素子２１１及び上記第１または第２転送ライン２０７、２０８との間のカップリング量及び共振周波数を調節する機能を有するようになる。
【００７４】
この際、上記各プローブ２１５、２１７、２１９、２２１、２２３と上記転送ライン２０７、２０８、２０９とは互いに離れている。
【００７５】
上記第１乃至第３転送ライン２０７、２０８、２０９の各々は、図示したように、曲線形状やアーチ（arch）形状で構成できるが、これら転送ライン２０７，２０８，２９は、各軸の共振周波数を隣接した軸にカップリングさせる役目を有するため、その幅（ｗ）と厚さ（ｔ）を適切に調節して設計する。
【００７６】
このような第１乃至第３転送ライン２０７、２０８、２０９は、テフロンなどの材料からなる支持部材（図示せず）によりハウジング２００の内壁の適正位置に固定される。図２及び図３の例では、第１乃至第３転送ライン２０７、２０８、２０９は、ハウジング２００の内部の空洞に配置されているが、第１乃至第３転送ライン２０７、２０８、２０９の少なくとも一部がハウジング２００の外部に位置するように構成することもできる。
【００７７】
第１乃至第３転送ライン２０７、２０８、２０９がハウジング２００の外部に配置される場合には、ハウジング２００を介して各々の転送ラインの両端をｘ軸、ｙ軸、ｚ軸の対応する各軸に連結するための連結用のピンや連結用の線材などの追加的な連結用部材が必要となる。また、第１乃至第３転送ライン２０７、２０８、２０９の一部をハウジング２００の外部に配置する場合には、上記ハウジング２００に上記第１乃至第３転送ライン２０７、２０８、２０９の一部分が貫通するための貫通ホールが形成される。
【００７８】
前述したような本発明の第１実施形態に係る多重モード共振フィルタ２０は、単一の誘電体共振素子により多数の共振モード、一例として３個の同一な共振モードを提供できる。この共振モードはＴＥ０１δモード、ＴＭ０１δモードである。一方、上記転送ラインの連結構造は変更できる。
【００７９】
例えば、上記第３転送ライン２０９の場合、ｘ軸で上記入力コネクタ２０１の位置と対抗する極（図２及び図３におけるチューニングプローブ２１５の位置）に該当する‐ｘ軸上の一地点とｙ軸上の一地点とを連結することも可能である。即ち、図５に参照番号２０９’と図示されたように、第３転送ラインは、＋ｘ軸と＋ｙ軸だけでなく、＋ｙ軸と−ｘ軸の各座標軸を連結することもできる。この際、第２転送ライン２０８の第二端と第３転送ライン２０９’の第一端とは互いに連結され、第３転送ライン２０９’の第二端は共振素子２１１を挟んで第１転送ライン２０７の第二端と対抗する側、即ち−ｘ軸上の一地点に配置される。
【００８０】
同様に、他の転送ラインの位置も様々な連結に対応して変更することができる。
【００８１】
但し、上記各転送ラインは初端部分と終端部分とを除いては互いに連結されていなければならない。即ち、図２及び図３に示すように、複数の転送ラインが配値される時、ある転送ラインの第一端は他の転送ラインの第一端または第二端と連結されることによって、上記複数の転送ラインは閉ループを形成することができる。また、図５に示すように、ある転送ラインの端部が他の転送ラインの端部と順次に連結されて、この連結された転送ライン２０７、２０８、２０９’の両端がオープンループとなるように形成することもできる。
【００８２】
また、本発明の第１実施形態に係る多重モード共振フィルタ２０は、ハウジング２００内に、誘電体共振素子２１１と球形または球形に近い空洞とを有することによって、ｘ、ｙ、ｚ軸方向に同一な特性を有し、各々互いに直交（orthogonal）する３個の同一共振モード、一例として３個のＴＥ０１δまたはＴＭ０１δモードが生じるようになる。この際、本発明に係る構造の第１乃至第３転送ラインによりＱ（Quality factor）値を落とすことなく、３個の同一共振モードを効率良く用いることができる。
【００８３】
一方、多重モード共振フィルタ製作時、ＴＥモードやＴＭモード等の使用するモードの型かによって前述した転送ライン２０７、２０８、２０９の形態と連結状態、そして共振素子２１１の形態が変わる。
【００８４】
図６を参照すれば、本発明の第１実施形態に係る帯域通過フィルタには、通過帯域より高い帯域に追加的なノッチ特性が生じている。図６において、水平軸は周波数［ＧＨｚ］を表し、垂直軸Ｙ１は減衰損失を表す。また、図６で符号６１は帯域通過フィルタの帯域通過特性を表し、符号６２は反射特性を表す。図６に示すように、第１実施形態に係る帯域通過フィルタは約２．７３７〜２．７４２［ＧＨｚ］の通過帯域を有し、通過帯域より低い周波数で１つのノッチ（ｎ１）が形成され、通過帯域より高い周波数で２つのノッチ（ｎ２、ｎ３）が形成されている。また、３個のピーク（ｒ１、ｒ２、ｒ３）を有する反射特性によって３個の共振モードが結合されていることが分かる。
【００８５】
図７は本発明の第２実施形態に係る多重モード共振フィルタの斜視図であり、図８は図７で示されるハウジングの一部を取り除いた状態を示す透過的な斜視図であって、帯域阻止フィルタ（ＢＲＦ：Band Rejection Filter）を具現化するための構造が図示される。
【００８６】
図７及び図８を参照すれば、本発明の第２実施形態に係る多重モード共振フィルタ３０は、上記図２及び図３に図示された第１実施形態の多重モード共振フィルタ２０と類似するように、その内部に空気層が形成された球形または球形と類似な形態の空洞（cavity）を有する球形または球形と類似な外部形態を有するハウジング２００と、ハウジング２００の空洞に収容される球形または球形と類似な形態の誘電体共振素子２１１と、誘電体共振素子を支持する支持部材３１３と、ｘ軸の一極に形成される入力コネクタ３０１及びｚ軸の一極に形成される出力コネクタ３０３、及び上記ｘ、ｙ、ｚ軸を基準にして上記入／出力コネクタ３０１、３０３の設置位置を除外した部位の各極に設置される多数のチューニングプローブ３１５、３１７、３１９を具備する。
【００８７】
また、多重モード共振フィルタ３０は、ｘ軸とｙ軸上の各々の一地点を連結する第１転送ライン３０７及びｙ軸とｚ軸の各一地点を連結する第２転送ライン３０８を具備するが、本発明の第２実施形態に係る第１及び第２転送ライン３０７、３０８の構造は、上記図２及び図３に図示された第１実施形態の第１転送ライン２０７、第２転送ライン２０８とは異なる構造を有するようになる。
【００８８】
即ち、第１転送ライン３０７及び第２転送ライン３０８は、転送周波数対比６０オーム（Ω）、７５オーム等、標準規格に相応するインピーダンスを有するように適切な幅と長さで設計されており、伝達される信号が転送線路を通過する時、第１及び第２転送ライン３０７，３０８の下部に置かれた誘電体共振素子２１１により、ある周波数帯域がカップリング−キャンセルされて、当該フィルタ３０が帯域阻止特性を有するようになる。入力コネクタ３０１及び出力コネクタ３０３は、それぞれ第１転送ライン３０７の一方の側及び第２転送ライン３０８の一方の側とに直接的に連結されている。
【００８９】
具体的には、上記第１転送ライン３０７は、ｚ軸方向に垂直な平面にドミナント共振が形成される第１共振モード（例えば、ＴＥ０１δzモード）の方向に沿って配置されることで、この第１共振モード（例えば、ＴＥ０１δzモード）の磁界（または、電界）とカップリングされる。また、上記第１転送ライン３０７は、ｘ軸方向に垂直な平面にドミナント共振が形成される第２共振モード（例えば、ＴＥ０１δｘモード）の磁界（または、電界）と、ｚ軸方向に垂直な平面にドミナント共振が形成される第３共振モード（例えば、ＴＥ０１δｙモード）の磁界（または、電界）とを互いにカップリングするために設置される。
【００９０】
第２転送ライン３０８は、ｘ軸方向に垂直な平面にドミナント共振が形成される第２共振モード（例えば、ＴＥ０１δｘモード）の方向に沿って配置されることで、第２共振モード（例えば、ＴＥ０１δｘモード）とカップリングされる。また、上記第２転送ライン３０８は、ｙ軸方向に垂直な平面にドミナント共振が形成される第３共振モード（例えば、ＴＥ０１δｙモード）の磁界（または、電界）と、ｚ軸方向に垂直な平面にドミナント共振が形成される第１共振モード（例えば、ＴＥ０１δｚモード）の磁界（または、電界）とを互いにカップリングするために設置される。
【００９１】
そして、第１転送ライン３０７の第一端は入力プローブ（図示せず）を介して入力コネクタ３０１に直接連結され、上記第１転送ライン３０７と第２転送ライン３０８との接点は出力プローブ（図示せず）を介して出力コネクタ３０３に直接連結される。上記第１転送ライン３０７の第一端はｙ軸上の一地点で上記第２転送ライン３０８と直接連結される。
【００９２】
このように、本発明によれば、上記第１及び第２転送ライン３０７、３０８を用いて直交する３個の共振モードを容易に互いに結合できる利点がある。即ち、実質的な球形という単純な形状の誘電体共振素子２１１を利用しながらも、簡単な構造の第１及び第２転送ライン３０７、３０８を用いて、誘電体共振素子２１１により形成される多数の共振モードを容易に結合することができ、また上記第１及び第２転送ライン３０７、３０８が入力コネクタ３０１及び出力コネクタ３０３に各々直接連結するように形成することで、帯域阻止フィルタを具現化できる。本発明の第２実施形態に係る多重モード共振フィルタ３０は、１つの誘電体共振素子が多数の共振モード、一例として３個の実質的に同一な共振モードを提供することができる。ここで、上記共振モードは、ＴＥ（Transverse Electric）モード、またはＴＭ（Transverse Magnetic）モードとすることができる。
【００９３】
また、本発明の第２実施形態に係る多重モード共振フィルタ３０は、球形または球形に近い空洞及び誘電体共振素子２１１を具備することによって、ｘ、ｙ、ｚ軸方向に互いに直交（orthogonal）する３個の共振モード（一例として、３個のＴＥ０１δモード）が生じるようになる。この際、本発明に係る構造のハウジング２００と誘電体共振素子２１１との間に存在する第一転送ライン３０７と第二転送ライン３０８によって、Ｑ値を落とすことなく、３個の共振モードを効率良く用いることができる。
【００９４】
図９は、図７及び図８に示される多重モード共振フィルタ３０のフィルタリング特性のグラフである。図９において、水平軸は周波数［ＧＨｚ］を表し、垂直軸Ｙ１は減衰損失を表す。また、図９で符号９１は本発明の第２実施形態に係る帯域阻止フィルタの帯域阻止特性を表し、符号９２は反射特性を表す。
【００９５】
図９に示すように、本発明の第２実施形態に係る帯域阻止フィルタは、約２．１４〜２．１６［ＧＨｚ］付近で阻止帯域を有するフィルタリング特性を有することが分かる。図９の帯域阻止特性グラフ９１では３個のピークが形成されており、これによって３個の共振モードが結合されていることが分かる。
【００９６】
ＴＥモード共振を用いてフィルタを実装する際には、球形状の誘電体共振素子を支持部材３１３を用いて固定すると、隣接する３個の共振周波数の内の２個が急峻に上方に移動する。残りの１つの共振周波数と他の２つの共振周波数とが互いに隣接するようにするために、図１０に示すように、球形の誘電体共振素子の外周面の一部を切削加工して共振周波数を補正する。図１０に示すように、誘電体共振素子４１１の中央部の側面が、その外周面に沿って帯状に切削加工されて側面切削部４１１−１が形成され、また誘電体共振素子４１１の下段部の一部を上記側面切削部４１１−１と平行した方向に切削して下部切削部４１１−２を形成する。かくして上記下部切削部４１１−２は誘電体支持部材２１３、または３１３の上端面と連結できる。
【００９７】
一方、ＴＭモード共振を用いてフィルタを実装する際には、図１１に示すように、誘電体共振素子５１１を支持部材２１３、または３１３の軸方向に肉付け加工して 共振周波数を補正する。図１１に示すように、誘電体共振素子５１１の中央部の側面の外周面に沿って帯状の突出部５１１−１が形成され、また誘電体共振素子５１１の下段部の一部を上記突出部５１１−１と平行した方向に切削して下部切削部５１１−２を形成する。上記下部切削部５１１−２は誘電体支持部２１３、または３１３の上段面と連結できる。
【００９８】
図１２及び図１３は、本発明の第３実施形態に係る多重モード共振フィルタの構造を示す斜視図であって、図２及び図３に図示された第１実施形態に係る構造を２段に連結した構造を示す。即ち、図１２及び図１３に図示された第３実施形態に係る多重モード共振フィルタ７０は、図２及び図３に図示された第１実施形態に係る多重モード共振フィルタ２０を２つ具備し、第１段の多重モード共振フィルタ２０の出力を第２段の多重モード共振フィルタの入力と適切な形状の連結ラインユニット７２０を介して連結した構造であることが分かる。  このように、本発明の他の実施形態では上記図２及び図３に図示された第１実施形態に係る多重モード共振フィルタ２０を２段または３段以上の多段階で連結して所望の特性を得るようにフィルタ構造を設計することができる。
【００９９】
具体的には、図１２及び図１３に示すように、複数の多重モード共振フィルタは各々の側面が互いに連結される。また、各々のフィルタ内に同一形状の転送ラインを形成する場合には、各フィルタ内の転送ラインは互いに鏡状に対向するように配置できる。図１２及び図１３では、互いに平行に配列された２つのフィルタにおいて、各フィルタ内部の転送ラインが互いに隣接して配列された場合を図示している。この場合、各フィルタ内部の転送ラインは、連結ラインユニット７２０により相互に連結される。この連結ラインユニット７２０は、各々のフィルタのハウジングを貫通して、各ハウジングの内部で各フィルタの転送線路と連結される。
【０１００】
図１４及び図１５は、本発明の第４実施形態に係る多重モード共振フィルタの構造を示す斜視図であって、図７及び図８に図示された第２実施形態に係る構造を２段に連結した構造を示す。図１４及び図１５に示された第４実施形態に係る多重モード共振フィルタ８０も図７及び図８に図示された第２実施形態に係る多重モード共振フィルタ３０を２つ具備し、第１段の多重モード共振フィルタ３０の出力を第２段の多重モード共振フィルタ３０の入力と５０オームの転送ラインユニット８２０を介して連結した構造であることが分かる。
【０１０１】
また、図１４及び図１５に示すように、複数の共振モードフィルタは各々の側面が互いに連結されている。また、各々の共振モードフィルタ内に同一な形状の転送ラインが形成された場合には、各々の共振モードフィルタ内の転送ラインは互いに鏡状に対向するように配置される。図１４及び図１５で平行に配列された２つの共振モードフィルタにおいて、各多重モード共振フィルタの転送ラインは、各々の共振素子を挟んで配置することで、互いに離して置かれた場合を図示している。この場合、各共振モードフィルタの内部の転送ラインは、２つの共振モードフィルタの上部に形成された転送ラインユニット８２０により互いに連結される。この転送ラインユニット８２０は、上記２つの共振モードフィルタの両上部に亘って置かれた連結コネクタ８１０内に位置する。この連結コネクタ８１０の上面には凹部溝が形成されており、転送ラインユニット８２０がこの凹部溝内に取り付けられている。上記転送ラインユニット８２０は、上記連結コネクタ８１０及び各多重モード共振フィルタのハウジング２００を貫通して、各ハウジングの内部で両共振モードフィルタの転送ライン３０７、３０８と連結される。また、図１４及び図１５には、転送ライン３０７、３０８をハウジング２００の内壁に固定するための支持部材８３０が図示されている。この支持部材８３０は、テフロンのような誘電体からなる。
【０１０２】
図１６及び図１７は、本発明の第５実施形態に係る多重モード共振フィルタの構造を示す透過斜視図及び平面図であって、帯域通過フィルタを具現化するための構造が図示され、便宜上、以前の実施形態で開示したハウジングと、該ハウジングの外部に形成される入出力コネクタ及びチューニングプローブに対する図示は省略した。なお、ハウジング内部の空洞及びこれに収容される誘電体共振素子２１１及び転送ライン２２７、２２８のような素子を重点的に開示した。また、誘電体共振素子２１１を支持する支持部材２１３が円柱形状で形成される場合、図１６に示すように、上記支持部材２１３の内部にはやはり円柱形状の空洞（cavity）が形成できる。即ち、この支持部材２１３は、上段部の面積を十分に大きく形成することによって、上記共振素子２１１を安定的に支持できるように形成し、併せて上記支持部材２１３の内部には空洞を形成して上記支持部材２１３の重量を減少させることによって、フィルタ全体の重量を減少させることができる。また、上記支持部材２１３の材料の Q値は上記誘電体共振素子２１１の材料の Q値より悪い。したがって、上記支持部材２１３の内部に空洞を形成することによって、上記支持部材２１３の材料のQ値による影響を減少させることができ、これによってフィルタ２２のＱ値の低下を防止することができる。
【０１０３】
図１６及び図１７を参照すれば、本発明の第５実施形態に係る多重モード共振フィルタ２２は、上記図２及び図３に図示された第１実施形態の構造と類似するように、球形またはこれと類似な形態のハウジング２００の内部に空気層が形成された球形または球形と類似な形状の空洞を有し、空洞には球形または球形と類似な形状の誘電体共振素子２１１と、ｘ軸の一極に形成される入力コネクタと連結するための入力プローブ２２１及びｙ軸の一極に形成される出力コネクタと連結するための出力プローブ２２３を具備する。
【０１０４】
また、ｘ軸とｚ軸上の各々の一地点を連結する第１転送ライン２２７及びｙ軸とｚ軸上の各一地点を連結する第２転送ライン２２８を具備するが、第１転送ライン２２７のｘ軸方向の終端は上記入力プローブ２２１と連結され、第２転送ライン２２８のｙ軸方向の終端は上記出力プローブ２２３と連結される。即ち、上記第１転送ライン２２７のｘ軸方向の終端は入力プローブ２２１と直接連結されるか、たとえ直接連結されていなくても電磁界カップリングがなされることができるように互いに隣接して配置される。また、第２転送ライン２２８のｙ軸方向の終端は出力プローブ２２３と直接連結されるか、たとえ直接連結されていなくても電磁界カップリングがなされることができるように互いに隣接して配置される。
【０１０５】
この際、上記第１転送ライン２２７及び第２転送ライン２２８は、実質的に直線の形状を有するように構成することができ、Ａで示したように、第１転送ライン２２７及び第２転送ライン２２８は、その中間に互いに電磁界カップリングをなすようにカップリングされた２つのサブ転送ライン２２７−１、２２７−２、２２８−１、２２８−２から構成されている。即ち、第１転送ライン２２７及び第２転送ライン２２８は、各々１つの胴体で形成された１つの転送ラインからなるか、２つまたはそれ以上のサブ転送ライン２２７−１、２２７−２、２２８−１、２２８−２からなる。これらのサブ転送ラインは、その一部分がＡで表示されたような、互いにオーバーラップする部分を有している。具体的に、上記第１転送ライン２２７は第１サブ転送ライン２２７−１及び第２サブ転送ライン２２７−２を含み、上記第１サブ転送ライン２２７−１の一部分（Ａ）と上記第２サブ転送ライン２２７−２の一部分（Ａ）とは互いにオーバーラップして配置されている。また、第２転送ライン２２８は第３サブ転送ライン２２８−１及び第４サブ転送ライン２２８−２を含み、上記第３サブ転送ライン２２８−１の一部分（Ａ）と上記第４サブ転送ライン２２８−２の一部分（Ａ）とは互いにオーバーラップして配置されている。
【０１０６】
この際、Ａと表示された部分は互いに直接連結されるか、たとえ直接連結されていなくても電磁界カップリングがなされるように互いに近接して配置される。
【０１０７】
図１６及び図１７で、第１転送ライン２２７の第一端は＋ｘ軸上のある一地点で入力プローブ２２１と連結され、他端は＋ｚ軸上のある一地点に配置される。そして、第２転送ライン２２８の第一端は＋ｚ軸上で上記第１転送ライン２２７の第二端と直接連結され、第二端は＋ｙ軸上で出力プローブ２２３と連結される。このような構成の他にもノッチ特性またはカップリング特性の調整のために、ｘ軸とｙ軸上の各々の一地点を連結する補助転送ライン２３１、２３２を具備できるが、第１補助転送ライン２３１は、上記第１転送ライン２２７と入力プローブ２２１との接点で第一端が連結され、ｘ軸の［＋］極とｙ軸の［−］極方向に延びて設置され、第２補助転送ライン２３２は、上記第２転送ライン２２８と出力プローブ２２３との接点に第一端が連結され、ｙ軸の［＋］極とｘ軸の［−］極の方向に延びて設置される。この際、第２補助転送ライン２３２の第二端には回路的に開放構造を形成するために開放構造物２３３を設置できる。上記開放構造物２３３は、第２補助転送ライン２３２の幅に比べて相対的に大きい幅を有す円盤またはコインの形状を有する金属材料で形成される。
【０１０８】
このような構造を有するので、図１８に示すように、本発明の第５実施形態に係る帯域通過フィルタ構造は、通過帯域以上の高帯域側で追加的なノッチが発生するようにできる。図１８で水平軸は周波数［ＭＨｚ］を表し、垂直軸Ｙ１は減衰損失を表す。また、図１８で符号１６１は本発明の第５実施形態に係る帯域通過フィルタの帯域通過特性を表し、符号１６２は反射特性を表す。図１８に示すように、本発明の第５実施形態に係る帯域通過フィルタは、約６９５〜７１６［ＭＨｚ］の通過帯域を有し、通過帯域より低い周波数で１つのノッチ（ｎ１）が形成され、通過帯域より高い周波数で２つのノッチ（ｎ２、ｎ３）が形成されている。また、３個のピーク（ｒ１、ｒ２、ｒ３）を有する反射特性によって３個の共振モードが結合されたことが分かる。
【０１０９】
図１９及び図２０は、本発明の第６実施形態に係る多重モード共振フィルタの構造を示す斜視図及び平面図であって、帯域通過フィルタを具現化するための構造が図示され、便宜上、以前の実施形態で開示されたハウジングと、該ハウジングの外部に形成される入出力コネクタ及びチューニングプローブは省略した。一方で、内部空洞及びこれに収容される共振素子２１１及び転送ライン２４７−１、２４７−２、２４８−１、２４８−２等の本実施形態における特徴的な素子を重点的に開示した。
【０１１０】
図１９及び図２０を参照すれば、本発明の第６実施形態に係る多重モード共振フィルタ２４は、上記図１６及び図１７に図示された第５実施形態の構造と類似するように、球形またはこれと類似な形状のハウジング２００の内部に空気層が形成された球形または球形と類似な形状の空洞を有し、空洞には球形または球形と類似な形状の誘電体共振素子２１１と、ｘ軸の一極に形成される入力コネクタと連結するための入力プローブ２２１及びｙ軸の一極に形成される出力コネクタと連結するための出力プローブ２２３を具備する。
【０１１１】
この際、ｘ軸とｚ軸上の各々の一地点を連結する第１転送ラインは、第１−１転送ライン２４７−１と第１−２転送ライン２４７−２とに分けられて構成される。第１−１転送ライン２４７−１のｘ軸方向の終端は＋ｘ軸上の一地点に位置した入力プローブ２２１と連結され、ｚ軸方向の終端は金属材料の接地構造物（Ａ）によりハウジング（図示せず）の下部の内面と接地するように接触されながらｚ軸の［−］極方向に向けるように設置される。この際、上記第１−１転送ライン２４７−１のｚ軸方向の終端は、−ｚ軸から＋ｙ軸方向に一定間隔だけ（例えば、４５度未満の角度だけ）捩られている。このように、第１−１転送ライン２４７−１の配置方向に沿って特定の軸（＋ｙ軸）から一定間隔だけ捩って配値する理由は、ハウジング２００内で形成される電界または磁界の強さに応じて、特定モード（例えば、ＴＥ０１δｙモード）の方向がｙ軸と直交するのではなく、僅かに捩れているからである。それ故、この捩れた特定モード（ＴＥ０１δｙ）の方向に対応して第１−１転送ライン２４７−１の配置方向が調整可能となる。以上の通り、転送ラインの配置方向が特定の軸と直交せず一定間隔だけ捩れた例においては、特定モードの方向が電界または磁界の強さに応じて僅かに捩れているならば、この捩れた特定モードの方向に応じて転送ラインの配置方向を調整することが可能となる。
【０１１２】
第１−２転送ライン２４７−２のｚ軸方向の終端は［＋］極上の一地点と連結され、ｘ軸の方向の終端は金属材料からなる接地構造物（Ａ）によりハウジング２００の上部の内面と接地するように接触されながらｘ軸の［−］極方向に向けるように設置される。この際、上記第１−２転送ライン２４７−２のｘ軸方向の終端は−ｘ軸から＋ｙ軸方向に一定間隔だけ（例えば、４５度未満の角度だけ）捩れて配置される。
【０１１３】
このような第１−１転送ライン２４７−１と第１−２転送ライン２４７−２とは、物理的には互いに離されて設置されているが、単一のモード（例えば、ＴＥ０１δｘモード）の磁界（または、電界）とカップリングすることで回路的には連結されたものと見なされることを理解するべきである。即ち、第１−１転送ライン２４７−１と第１−２転送ライン２４７−２とは互いに空間的に離れていても、両方とも同一な１つのモード（例えば、ＴＥ０１δｘモード）で結合（coupling）されている。また、この際、上記第１−１転送ライン２４７−１と第１−２転送ライン２４７−２とは、座標上のｘ軸と正確に一致するようには設置されておらず、ｘ軸から所定の間隔だけ捩れて設置されている。これは、多数の転送ラインをはじめとして空洞（cavity）内に設置される幾つかの素子によって各軸の最大共振モードがオフセットされるためである。かくして、第１−１転送ライン２４７−１と第１−２転送ライン２４７−２とは、オフセットされる最大共振モードの方向に適切に対応した方向、或いは位置に設置されるのである。
【０１１４】
同様に、ｚ軸とｙ軸上の各々の一地点を連結する第２転送ラインは、第２−１転送ライン２４８−１と第２−２転送ライン２４８−２とに分けられて構成される。第２−１転送ライン２４８−１のｙ軸方向の終端は＋ｙ軸上の一地点に位置した出力プローブ２２３と連結され、ｚ軸方向の終端は金属材料からなる接地構造物（Ａ）によりハウジング（図示せず）の下部の内面と接地されるように接触しながらｚ軸の［−］極方向に向くように設置される。この際、上記第２−１転送ライン２４８−１のｚ軸方向の終端は−ｚ軸から−ｘ軸方向に所定間隔だけ（例えば、４５度未満の角度だけ）捩れて配置される。
【０１１５】
第２−２転送ライン２４８−２のｚ軸方向の終端はｚ軸の［＋］極上の一地点で上記第１−２転送ライン２４７−２と連結され、ｙ軸の方向の終端は金属材料からなる接地構造物（Ａ）によりハウジング（図示せず）の上部の内面と接地されるように接触しながらｙ軸の［−］極方向に向けるように設置される。この際、上記第２−１転送ライン２４８−１と第２−２転送ライン２４８−２も座標上の−ｙ軸と正確に一致するように設置されず、−ｙ軸から＋ｘ軸方向に予め設定された間隔だけ（例えば、４５度未満の角度だけ）捩れて設置される。
【０１１６】
このような構成の他にもノッチ特性またはカップリング特性調整のために、ｘ軸とｙ軸上の各々の一地点を連結する補助転送ライン２５１、２５２、２５３を具備できるが、第１補助転送ライン２５１は＋ｘ軸上で上記第１−１転送ライン２４７−１と第一端が連結され、座標上でｘ軸の［＋］極とｙ軸の［−］極方向に設置され、第２補助転送ライン２５２は上記＋ｙ軸上で第２−１転送ライン２４８−１と第一端が連結され、ｙ軸の［＋］極とｘ軸の［−］極方向に設置される。第３補助転送ライン２５３の第一端は＋ｙ軸上で上記第２−１転送ライン２４８−１の第一端と連結され、＋ｚ軸に向けて（即ち、ハウジング２００の上部に向けて）延びながら上記＋ｚ軸から一定間隔だけ（例えば、４５度未満の間隔だけ）＋ｘ軸方向に捩れて設置される。
【０１１７】
このような構造を有するので、図２１に示すように、本発明の第６実施形態に係る帯域通過フィルタ構造は、通過帯域以下の低帯域側で追加的なノッチ特性が発生するようにすることができる。図２１で水平軸は周波数（Ｆｒｅｑ［ＭＨｚ］）を表し、垂直軸（Ｙ１）は減衰損失を表す。また、図２１で符号１９１は本発明の第６実施形態に係る帯域通過フィルタの帯域通過特性を表し、符号１９２は反射特性を表す。図２１に示すように、本発明の第６実施形態に係る帯域通過フィルタは約８８５〜８９３［ＭＨｚ］の通過帯域を有し、通過帯域より低い周波数で２つのノッチ（ｎ１、ｎ２）が形成され、通過帯域より高い周波数で１つのノッチ（ｎ３）が形成されている。また、３個のピーク（ｒ１、ｒ２、ｒ３）を有する反射特性によって３個の共振モードが結合されたことが分かる。
【０１１８】
図２２は、本発明の第７実施形態に係る多重モード共振フィルタの構造を示す斜視図であって、帯域通過フィルタを具現するための構造が図示される。本発明の第７実施形態にに係る多重モード共振フィルタは、図１９及び図２０に図示された本発明の第６実施形態に係る多重モード共振フィルタと比較する時、第６実施形態から第３補助ライン２５３のみ除去したということを除いてはその構造が同一である。
【０１１９】
図２３は、図２２のフィルタリング特性グラフを示す。図２２に示すように、本発明に第７実施形態に係る帯域通過フィルタ構造は、通過帯域以下の低帯域側で追加的なノッチ特性が発生するようにすることができる。図２３で水平軸は周波数［ＭＨｚ］を表し、垂直軸（Ｙ１）は減衰損失を表す。また、図２３で符号２１１は本発明の第７実施形態に係る帯域通過フィルタの帯域通過特性を表し、符号２１２は反射特性を表す。図２３に示すように、本発明の第７実施形態に係る帯域通過フィルタは約８８３〜８８７［ＭＨｚ］の通過帯域を有し、通過帯域より低い周波数で３個のノッチ（ｎ１、ｎ２、ｎ３）が形成された。また、３個のピーク（ｒ１、ｒ２、ｒ３）を有する反射特性によって３個の共振モードが結合されたことが分かる。
【０１２０】
図２４は、本発明の第８実施形態に係る多重モード共振フィルタの構造を示す透過斜視図であって、帯域通過フィルタを具現するための構造が図示される。本発明の第７実施形態に従う多重モード共振フィルタは、図１９及び図２０に図示された本発明の第６実施形態に係る多重モード共振フィルタと比較すると、第６実施形態から第３補助ライン２５３が除去され、円筒形の誘電体共振素子２１１及び直六面体のハウジング２００を採用している。
【０１２１】
図２４を参照すると、本発明の第８実施形態に係る多重モード共振フィルタは、上記実質的に直六面体形態の空洞を有し、空洞には実質的に円柱形態の誘電体共振素子２１１、ｘ軸の一極に形成される入力コネクタと連結されるための入力プローブ２２１、及びｙ軸の一極に形成される出力コネクタと連結されるための出力プローブ２２３を具備する。
【０１２２】
この際、ｘ軸とｚ軸上の各々の一地点を連結する第１転送ラインは、第１−１転送ライン２４７−１と第１−２転送ライン２４７−２とに分けられて構成される。第１−１転送ライン２４７−１のｘ軸方向の終端は＋ｘ軸上の一地点に位置した入力プローブ２２１と連結され、ｚ軸方向の終端は金属材質の接地構造物（Ａ）によりハウジング２００の下部の内面と接地するように接触しながらｚ軸の［−］極方向に向くように設置される。
【０１２３】
第１−２転送ライン２４７−２のｚ軸方向の終端は［＋］極上の一地点と連結され、ｘ軸方向の終端は金属材質の接地構造物（Ａ）によりハウジング２００の上部の内面と接地されるように接触しながらｘ軸の［−］極方向に向けるように設置される。
【０１２４】
このような第１−１転送ライン２４７−１と第１−２転送ライン２４７−２とは、物理的には互いに離隔するように設置されているが、同一な１つのモード（例えば、ＴＥ０１δｘモード）の磁界（または、電界）とカップリングするように回路的には連結されたものと見なされることを理解するべきである。即ち、第１−１転送ライン２４７−１と第１−２転送ライン２４７−２とは互いに離隔していても、両方とも同一な１つのモード（例えば、ＴＥ０１δｘモード）と結合される。
【０１２５】
同様に、ｚ軸とｙ軸上の各々の一地点を連結する第２転送ラインは、第２−１転送ライン２４８−１と第２−２転送ライン２４８−２とに分けられて構成される。第２−１転送ライン２４８−１のｙ軸方向の終端は＋ｙ軸上の一地点に位置した出力プローブ２２３と連結され、ｚ軸方向の終端は金属材質の接地構造物（Ａ）によりハウジング２００の下部の内面と接地するように接触しながらｚ軸の［−］極方向に向くように設置される。
【０１２６】
第２−２転送ライン２４８−２のｚ軸方向の終端はｚ軸の［＋］極上の一地点で上記第１−２転送ラインと連結され、ｙ軸方向の終端は金属材質の接地構造物（Ａ）によりハウジング２００の上部の内面と接地されるように接触しながらｙ軸の［−］極方向に向けるように設置される。
【０１２７】
このような構成の他にもノッチ特性またはカップリング特性の調整のために、ｘ軸とｙ軸上の各々の一地点を連結する補助転送ライン２５１、２５２が具備できるが、第１補助転送ライン２５１は＋ｘ軸上で上記第１−１転送ライン２４７−１と第一端が連結され、座標上でｘ軸の［＋］極とｙ軸の［−］極方向に設置され、第２補助転送ライン２５２は上記＋ｙ軸上で第２−１転送ライン２４８−１と第一端が連結され、ｙ軸の［＋］極とｘ軸の［−］極方向に設置される。
【０１２８】
図２５は、図２４のフィルタリング特性グラフを示す。図２５に示すように、本発明に第８実施形態に係る帯域通過フィルタ構造は、通過帯域以下の低帯域側で追加的なノッチ特性が生じるようにすることができる。図２５で水平軸は周波数（Ｆｒｅｑ［ＭＨｚ］）を表し、垂直軸（Ｙ１）は減衰損失を表す。また、図２５で符号２３１は本発明の第８実施形態に係る帯域通過フィルタの帯域通過特性を表し、符号２３２は反射特性を表す。図２５に示すように、本発明の第８実施形態に係る帯域通過フィルタは約８８３〜８８７［ＭＨｚ］の通過帯域を有し、通過帯域より低い周波数で３個のノッチ（ｎ１、ｎ２、ｎ３）が形成された。また、３個のピーク（ｒ１、ｒ２、ｒ３）を有する反射特性によって３個の共振モードが結合されたことが分かる。
【０１２９】
図２６及び図２７は、本発明の第９実施形態に係る多重モード共振フィルタの構造を示す透過斜視図及び平面図であって、帯域通過フィルタを具現するための構造が図示され、図面上で図示の便宜のために、内部転送ライン関連の主要部のみ図示した。図２６及び図２７を参照すると、本発明の第９実施形態に係る多重モード共振フィルタ２６はｘ軸の一極（［＋］極）に形成される入力コネクタと連結されるための入力プローブ２５１が形成され、出力コネクタと連結されるための出力プローブ２５２はｘ軸の他極（［−］極）に形成される一例が図示されている。
【０１３０】
また、ｘ軸とｚ軸上の各々の一地点を連結する第１転送ライン２５７が備えられるが、第１転送ライン２５７は以前の実施形態と類似するように、上記第１転送ライン２５７のｘ軸方向の終端は上記入力プローブ２２１と連結され、ｚ軸方向の終端は＋ｚ軸の一地点まで延びる。
【０１３１】
ところが、ｚ軸とｙ軸を連結する第２転送ラインは、第２−１転送ライン２５８−１と第２−２転送ライン２５８−２とに分けられて構成され、第２−１転送ライン２５８−１のｙ軸方向の終端はｙ軸の［＋］極の一地点に位置し、ｚ軸方向の終端はｚ軸の［＋］極方向に向けるが、上記第１転送ライン２５７と連結されず、幾分間隔をおいて設置される。第２−２転送ライン２５８−２のｙ軸方向の終端はｙ軸の［−］極の一地点に位置し、ｚ軸方向の終端はｚ軸の［＋］極方向に向けるが、上記第１転送ライン２５７と連結されず、幾分間隔をおいて設置される。
【０１３２】
ｙ軸とｘ軸を連結する第３転送ラインは、第３−１転送ライン２５９−１と第３−２転送ライン２５９−２とに分けられて構成され、第３−１転送ライン２５９−１のｙ軸方向の終端は上記第２−１転送ライン２５８−１と連結され、ｘ軸の終端はｘ軸の［−］極方向に設置される上記出力プローブ２５２と連結されるように設置される。第３−２転送ライン２５９−２のｙ軸方向の終端は上記第２−２転送ライン２５８−２と連結され、ｘ軸の終端はｘ軸の［＋］極方向に設置される上記入力プローブ２５１と連結されるように設置される。
【０１３３】
図２８及び図２９は、本発明の第１０実施形態に係る多重モード共振フィルタの構造を示す透過斜視図及び平面図であって、帯域通過フィルタを具現するための構造が図示される。本発明の第１０実施形態に従う多重モード共振フィルタは、図２６及び図２７に図示された本発明の第９実施形態に係る多重モード共振フィルタと比較すると、第９実施形態から第１転送ライン２５７が第１−１転送ライン２５７−１と第１−２転送ライン２５７−２とに分けられる。
【０１３４】
具体的に、ｘ軸とｚ軸を連結する第１転送ラインは、第１転送ライン２５７が第１−１転送ライン２５７−１と第１−２転送ライン２５７−２とに分けられて構成され、第１−１転送ラインのｘ軸方向の終端はｘ軸上で入力プローブ２２１と連結され、ｚ軸方向の終端は＋ｚ軸方向に向けるが、＋ｚ軸までは連結されず、＋ｚ軸と幾分間隔をおいて設置される。第１−２転送ライン２５７−１の−ｘ軸方向の終端は−ｘ軸上で出力プローブ２５２と連結され、＋ｚ軸方向の終端は＋ｚ軸方向に向けるが、＋ｚ軸までは連結されず、幾分間隔をおいて設置される。
【０１３５】
図３０は、図２８及び図２９のフィルタリング特性グラフを示す。図３０に示すように、本発明の第１０実施形態に係る帯域通過フィルタ構造は通過帯域の範囲を調節することができ、また通過帯域以下の低帯域側でノッチ特性が発生可能である。図３０で水平軸は周波数（Ｆｒｅｑ［ＧＨｚ］）を表し、垂直軸（Ｙ１）は減衰損失を表す。また、図３０で符号２８１は本発明の第１０実施形態に係る帯域通過フィルタの帯域通過特性を表し、符号２８２は反射特性を表す。図３０に示すように、本発明の第１０実施形態に係る帯域通過フィルタは約２．１０５〜２．１１３［ＧＨｚ］の通過帯域を有し、通過帯域より低い周波数で２つのノッチ（ｎ１、ｎ２）が形成されている。また、３個のピーク（ｒ１、ｒ２、ｒ３）を有する反射特性によって３個の共振モードが結合されたことが分かる。
【０１３６】
図３１及び図３２は、本発明の第１１実施形態に係る多重モード共振フィルタの構造を示す透過斜視図及び平面図であって、帯域通過フィルタを具現するための構造が図示される。本発明の第１１実施形態に従う多重モード共振フィルタは、図２６及び図２７に図示された本発明の第９実施形態に係る多重モード共振フィルタと比較すると、第９実施形態から第１転送ライン２５７のｚ軸方向に延びる終端がｚ軸の［＋］極方向に向くが、ｚ軸の［＋］極までは連結されず、幾分間隔をおいて設置されるという点及び出力プローブ２５２の位置が変更されている。
【０１３７】
具体的に、ｘ軸とｚ軸を連結する第１転送ラインは、第１転送ライン２５７が第１−１転送ライン２５７−１と第１−２転送ライン２５７−２とに分けられて構成される。第１−１転送ライン２５７−１のｘ軸方向の終端はｘ軸上に位置する入力プローブ２２１と連結され、ｚ軸方向の終端はｚ軸の［＋］極方向に向くが、ｚ軸の［＋］極までは連結されず、幾分間隔をおいて設置される。第１−２転送ライン２５７−１はｘ軸方向の終端はｘ軸の［−］極に連結され、ｚ軸方向の終端はｚ軸の［＋］極方向に向けるが、ｚ軸の［＋］極までは連結されず、幾分間隔をおいて設置される。
【０１３８】
第２転送ラインは第２−１転送ライン２５８−１と第２−２転送ライン２５８−２とに分けられて構成され、第２−１転送ライン２５８−１のｙ軸方向の終端は＋ｙ軸上に位置する出力プローブ２５２に連結され、ｚ軸方向の終端はｚ軸の［＋］極方向に向けるが、ｚ軸の［＋］極までは連結されず、幾分間隔をおいて設置される。第２−２転送ライン２５８−２のｙ軸方向の終端はｙ軸の［−］極の一地点に位置し、ｚ軸方向の終端はｚ軸の［＋］極方向に向けるが、上記第１転送ライン２５７と連結されず、幾分間隔をおいて設置される。
【０１３９】
ｙ軸とｘ軸を連結する第３転送ラインは、第３−１転送ライン２５９−１と第３−２転送ライン２５９−２とに分けられて構成され、第３−１転送ライン２５９−１のｙ軸方向の終端は上記出力プローブ２５２と連結され、ｘ軸の終端はｘ軸上の一地点に連結されるように設置される。第３−２転送ライン２５９−２のｙ軸方向の終端は上記第２−２転送ライン２５８−２と連結され、ｘ軸の終端はｘ軸の［＋］極方向に設置される上記入力プローブ２５１と連結されるように設置される。
【０１４０】
図３３は、図３１及び図３２のフィルタリング特性グラフを示す。図３３に示すように、本発明に第１１実施形態に係る帯域通過フィルタ構造は、通過帯域以上の高帯域側で追加的なノッチ特性が発生するようにすることができる。図３３で水平軸は周波数（Ｆｒｅｑ［ＧＨｚ］）を表し、垂直軸（Ｙ１）は減衰損失を表す。また、図３３で符号３１１は本発明の第１１実施形態に係る帯域通過フィルタの帯域通過特性を表し、符号３１２は反射特性を表す。図３３に示すように、本発明の第１１実施形態に係る帯域通過フィルタは約２．１０５〜２．１１３［ＧＨｚ］の通過帯域を有し、通過帯域より低い周波数で２つのノッチ（ｎ１、ｎ２）が形成され、通過帯域より高い周波数で１つのノッチ（ｎ３）が形成された。また、３個のピーク（ｒ１、ｒ２、ｒ３）を有する反射特性によって３個の共振モードが結合されたことが分かる。
【０１４１】
図３４及び図３５は、本発明の第１２実施形態に係る多重モード共振フィルタの構造を示す透過斜視図及び平面図であり、帯域阻止フィルタを具現するための構造が図示され、図面上に図示する便宜のために、以前の実施形態で示されたハウジングと、該ハウジングの外部に形成される入出力コネクタ及びチューニングプローブに対する図示は省略し、内部空洞及びこれに収容される共振素子２１１、及び転送ライン３２７、３２８、３２９のような素子を重点的に示した。
【０１４２】
図３４及び図３５を参照すると、本発明の第１２実施形態に係る多重モード共振フィルタ３２は、球形またはこれと類似な形態のハウジング２００の内部に空気層が形成された球形または球形と類似な形態の空洞を有し、空洞には球形または球形と類似な形態の誘電体共振素子２１１が備えられ、ｘ軸の一極（［＋］極）に形成される入力コネクタと連結されるための入力プローブ３２１が形成される。この際、出力コネクタと連結されるための出力プローブ３２２はｘ軸の他極（［−］極）に形成される。
【０１４３】
また、ｘ軸（［＋］極）とｚ軸上の各々の一地点を連結する第１転送ライン３２７、ｙ軸とｚ軸の各一地点を連結する第２転送ライン３２８、及びｙ軸とｘ軸（［−］極）の各々の一地点を連結する第３転送ライン３２９を具備するが、上記第１転送ライン３２７のｘ軸方向の終端は上記入力プローブ３２１と連結され、上記第３転送ライン３２９のｘ軸方向の終端は上記出力プローブ３２２と連結されるように設置される。したがって、上記第１乃至第３転送ライン３２７、３２８、３２９は全体的に一列で連結される構造を有する。また、上記第１乃至第３転送ライン３２７、３２８、３２９は、１つの胴体で形成された１つの長い金属バー（bar）３２７、３２８、３２９を曲げることにより形成できる。例えば、１つの金属バー３２７、３２８、３２９の一端が＋ｘ軸上の一地点に位置した入力プローブ３２１に連結された後、上記金属バーが＋ｚ軸方向に延びるように配列する間、＋ｚ軸上に到達すれば９０度に畳むことによって、上記１つの金属バー３２７、３２８、３２９は＋ｙ軸方向に延びて配置される。このように、＋ｙ軸方向に延びるように配列する間、上記金属バー３２７、３２８、３２９が＋ｙ軸上に到達すれば、また９０度に畳むことによって−ｘ軸方向に延びて配置される。すると、このように−ｘ軸方向に延びて配列する間、上記金属バー３２７、３２８、３２９が−ｘ軸上に到達するようになれば、上記金属バー３２７、３２８、３２９の他端を出力プローブ３２２に連結する。
【０１４４】
図３６は、図３４及び図３５のフィルタリング特性グラフを示す。図３６で水平軸は周波数（Ｆｒｅｑ［ＭＨｚ］）を表し、垂直軸（Ｙ１）は減衰損失を表す。また、図３６で符号３６１は本発明の第１２実施形態に係る帯域阻止フィルタの帯域阻止特性を表し、符号３６２は反射特性を表す。
【０１４５】
図３６に示すように、本発明の第１２実施形態に係る帯域阻止フィルタは、約７１７〜７２０［ＭＨｚ］付近で阻止帯域を有するフィルタリング特性を有することが分かる。図３６の帯域阻止特性グラフ３６１では３個のピークが形成されることによって、３個の共振モードが結合されたことが分かる。
【０１４６】
図３７及び図３８は、本発明の第１３実施形態に係る多重モード共振フィルタの構造を示す透過斜視図及び平面図であって、帯域阻止フィルタを具現するための構造が図示され、図面上で図示の便宜のために、以前の実施形態で開示されたハウジングと、該ハウジングの外部に形成される入出力コネクタ及びチューニングプローブに対する図示は省略したし、内部空洞及びこれに収容される共振素子２１１及び転送ライン３４７、３４８、３４９のような素子を重点的に開示した。
【０１４７】
図３７及び図３８を参照すれば、本発明の第１３実施形態に係る多重モード共振フィルタ３４は、球形またはこれと類似な形状のハウジング２００の内部に空気層が形成された球形または球形と類似な形状の空洞を有し、空洞には球形または球形と類似な形状の誘電体共振素子２１１が備えられ、ｘ軸の一極（［＋］極）に形成される入力コネクタと連結されるための入力プローブ３４１が形成され、ｙ軸の一極に形成される出力コネクタと連結されるための出力プローブ３４３を具備する。
【０１４８】
また、ｘ軸（［＋］極）とｚ軸の付近の各々の一地点を連結する第１転送ライン３４７と、ｙ軸とｚ軸の各一地点を連結する第２転送ライン３４８及びｙ軸とｘ軸（［−］極）の各々の一地点を連結する第３転送ライン３４９を具備するが、上記第１転送ライン３４７のｘ軸方向の終端は上記入力プローブ３４１と連結され、上記第２転送ライン３４８のｙ軸方向の終端は上記出力プローブ３４３と連結されるように設置される。この際、上記第１転送ライン３４７は座標上のｚ軸と正確に一致するように設置されず、予め設定された間隔だけ（ｚ軸から４５度より小さな角度だけ）捩れて延長設置されて上記第２転送ライン３４８と連結されることが見られる。上記第３転送ライン３４９のｘ軸（［−］極）方向の終端は金属接地部材３５２によりハウジング２００の内壁に直接連結されることによって接地される。したがって、上記第３転送ライン３４９は電気的に短絡（short）される。
【０１４９】
このような構成の他にも、ノッチ特性またはカップリング特性の調整のために、上記第３転送ライン３４９と第一端が連結され、座標上でｘ軸の［＋］極とｙ軸の［−］極方向に第１補助転送ライン３５１が設置できる。上記補助転送ライン３５１の第一端は出力プローブ３４３に連結され、第二端はｘ軸方向に向けて延びるが、ｘ軸とは離隔するように形成される。
【０１５０】
図３９は、図３７及び図３８のフィルタリング特性グラフを示す。図３９で水平軸は周波数（Ｆｒｅｑ［ＭＨｚ］）を表し、垂直軸（Ｙ１）は減衰損失を表す。また、図３９で符号３６１は本発明の第１３実施形態に係る帯域阻止フィルタの帯域阻止特性を表し、符号３６２は反射特性を表す。
【０１５１】
図３９に示すように、本発明の第１３実施形態に係る帯域阻止フィルタは、約６９８［ＭＨｚ］付近で阻止帯域を有するフィルタリング特性を有することが分かる。図３９の帯域阻止特性グラフ３６１では、３個のピークが形成されることによって、３個の共振モードが結合された。但し、図３６では３個のピークのうち、左側２つのピークが互いに重畳されて図示されている。このように、グラフの設定された解像度によって隣接した２つのピークが互いに重畳されて図示できるということは本発明が属する分野で通常の知識を有する者であれば容易に理解することができる。
【０１５２】
図４０及び図４１は、本発明の第１４実施形態に係る多重モード共振フィルタの構造を示す透過斜視図及び平面図であって、帯域阻止フィルタを具現するための構造が図示され、図面上で図示の便宜のために、内部転送ライン関連の主要部のみ図示した。図４０及び図４１を参照すれば、本発明の第１４実施形態に係る多重モード共振フィルタ３６はｘ軸の一極（［＋］極）に形成される入力コネクタと連結されるための入力プローブ３６１が形成され、ｙ軸の一極に形成される出力コネクタと連結されるための出力プローブ３６３を具備する。
【０１５３】
また、ｘ軸（［＋］極）とｚ軸の各々の一地点を連結する第１転送ライン３６７、ｙ軸とｚ軸の付近の各一地点を連結する第２転送ライン３６８、及びｙ軸とｘ軸（［−］極）の各々の一地点を連結する第３転送ライン３６９を具備するが、上記第１転送ライン３６７のｘ軸方向の終端は上記入力プローブ３６１と連結され、上記第２転送ライン３６８のｙ軸方向の終端は上記出力プローブ３６３と連結されるように設置される。この際、上記第２転送ライン３６７は座標上のｚ軸と正確に一致するように設置されず、予め設定された間隔だけ（ｚ軸から４５度より小さな角度だけ）捩れて延長設置されて上記第１転送ライン３６７と連結されることが見られる。上記第３転送ライン３６９のｘ軸（［−］極）方向の終端は、金属接地部材３６５によりハウジング２００の内壁に直接連結されることによって接地される。したがって、上記第３転送ライン３６９は電気的に短絡（short）される。
【０１５４】
このような構成の他にも、ノッチ特性またはカップリング特性の調整のために、上記第３転送ライン３６９と第一端が連結され、座標上でｘ軸の［＋］極とｙ軸の［−］極方向に第１補助転送ライン３７１が設置できる。上記補助転送ライン３７１の第一端は出力プローブ３６３に連結され、第二端はｘ軸方向に向けて延びるが、ｘ軸とは離隔するように形成される。
【０１５５】
図４２は、図４０及び図４１のフィルタリング特性グラフを示す。図４２で水平軸は周波数（Ｆｒｅｑ［ＭＨｚ］）を表し、垂直軸（Ｙ１）は減衰損失を表す。また、図４２で符号３９１は本発明の第１４実施形態に係る帯域阻止フィルタの帯域阻止特性を表し、符号３９２は反射特性を表す。図４２に示すように、本発明の第１４実施形態に係る帯域阻止フィルタは、約７１７〜７１９［ＭＨｚ］付近で阻止帯域を有するフィルタリング特性を有することが分かる。また、図４２の帯域阻止特性グラフ３９１では３個のピークが形成されることによって、３個の共振モードが結合されたことが分かる。
【０１５６】
図４３は、本発明の第１５実施形態に係る多重モード共振フィルタの構造を示す透過斜視図であって、帯域阻止フィルタを具現するための構造が図示される。本発明の第１５実施形態に係る多重モード共振フィルタは、図３４及び図３５に図示された本発明の第１２実施形態に係る多重モード共振フィルタと比較する時、円筒形の誘電体共振素子２１１及び直六面体のハウジング２００を採択した。したがって、以下ではその構造上の差異点を中心として本発明の第１５実施形態を説明する。
【０１５７】
図４３を参照すると、本発明の第１５実施形態に係る多重モード共振フィルタ３２は、実質的に直六面体形状のハウジング２００の内部に空気層が形成された実質的に直六面体形状の空洞を有し、空洞には実質的に円柱形状の誘電体共振素子２１１が備えられる。図４３に示すように、ハウジング２００の内周面または外周面の隅は緩やかな曲線を有するように一部処理できるが、全体的に直六面体形状を有すれば実質的な直六面体形状に含まれる。また、誘電体共振素子２１１の上下部の隅も一部切削加工できるが、全体的に円柱形状を有すれば実質的な円柱形状に含まれる。
【０１５８】
ｘ軸の一極（［＋］極）に形成される入力コネクタと連結されるための入力プローブ３２１が形成される。この際、出力コネクタと連結されるための出力プローブ３２２はｘ軸の他極（［−］極）に形成される。
【０１５９】
また、ｘ軸（［＋］極）とｚ軸上の各々の一地点を連結する第１転送ライン３２７と、ｙ軸とｚ軸の各一地点を連結する第２転送ライン３２８及びｙ軸とｘ軸（［−］極）の各々の一地点を連結する第３転送ライン３２９を具備するが、上記第１転送ライン３２７のｘ軸方向の終端は上記入力プローブ３２１と連結され、上記第３転送ライン３２９のｘ軸方向の終端は上記出力プローブ３２２と連結されるように設置される。したがって、上記第１乃至第３転送ライン３２７、３２８、３２９は全体的に一列で連結される構造を有する。上記第１転送ライン３２７は第２転送ライン３２８とｚ軸上で互いに連結される。また、第２転送ライン３２８は第３転送ラインとｙ軸上で互いに連結される。
【０１６０】
また、本発明の第１５実施形態に係る第１、第２、及び第３転送ライン３２７、３２８、３２９の厚さ（ｔ）は、図３４及び図３５に図示された本発明の第１２実施形態の転送ラインに比べて、相対的に厚く形成されている。第１、第２、及び第３転送ライン３２７、３２８、３２９の幅（ｗ）は希望するフィルタの特性によって調節できる。
【０１６１】
延いては、本発明の第１５実施形態に係る第１転送ライン３２７は、ハウジング２００の形状に従って折曲できる。即ち、直六面体の形状を有するハウジング２００の内周面形状に対応するように、第１転送ライン３２７の一部分３２７−１が上記ハウジングの内周面形状に従って９０度角度に折曲できる。また、第３転送ライン３２９は誘電体共振素子２１１の形状に従って曲線形状で形成できる。即ち、円柱形状を有する誘電体共振素子２１１の外周面形状に対応するように、第３転送ライン３２９は上記誘電体共振素子２１１の外周面形状に従って曲線形状で形成できる。
【０１６２】
図４４は、図４３のフィルタリング特性グラフを示す。図４３で水平軸は周波数（Ｆｒｅｑ［ＭＨｚ］）を表し、垂直軸（Ｙ１）は減衰損失を表す。また、図４３で符号４１１は本発明の第１５実施形態に係る帯域阻止フィルタの帯域阻止特性を表し、符号４１２は反射特性を表す。図４３に示すように、本発明の第１５実施形態に係る帯域阻止フィルタは、約７１５〜７１９［ＭＨｚ］付近で阻止帯域を有するフィルタリング特性を有することが分かる。また、図４３の帯域阻止特性グラフ４１１では３個のピークが形成されることによって、３個の共振モードが結合されたことが分かる。
【０１６３】
図４５は、本発明の第１６実施形態に係る多重モード共振フィルタの構造を示す透過斜視図であって、帯域阻止フィルタを具現するための構造が図示される。本発明の第１６実施形態に係る多重モード共振フィルタは、図４３に図示された本発明の第１５実施形態に係る多重モード共振フィルタと比較する時、次のような差がある。
【０１６４】
図４５を参照すると、本発明の第１６実施形態に係る多重モード共振フィルタは、ｘ軸の一極（［＋］極）に入力コネクタと連結されるための入力プローブ３２１が形成される。この際、出力コネクタと連結されるための出力プローブ３２２はｙ軸の一極（［＋］極）に形成される。
【０１６５】
また、ｘ軸（［＋］極）とｚ軸上の各々の一地点とを連結する第１転送ライン３２７、ｙ軸とｚ軸の各一地点を連結する第２転送ライン３２８、及びｙ軸とｘ軸（［−］極）の各々の一地点とを連結する第３転送ライン３２９を具備するが、上記第１転送ライン３２７のｘ軸方向の終端は上記入力プローブ３２１と連結され、上記第２転送ライン３２８のｙ軸方向の終端は上記出力プローブ３２２と連結されるように設置される。したがって、上記第１乃至第３転送ライン３２７、３２８、３２９は全体的に一列で連結される構造を有する。上記第１転送ライン３２７は、第２転送ライン３２８とｚ軸上で互いに連結される。また、第２転送ライン３２８は、第３転送ラインとｙ軸上で互いに連結される。そして、上記第３転送ライン３２９のｘ軸（［−］極）方向の終端は、金属接地部材３６５によりハウジング２００の内壁に直接連結されることによって接地される。したがって、上記第３転送ライン３２９は、電気的に短絡（short）される。
【０１６６】
図４６は、図４５のフィルタリング特性グラフを示す。図４６で水平軸は周波数（Ｆｒｅｑ［ＭＨｚ］）を表し、垂直軸（Ｙ１）は減衰損失を表す。また、図４６で符号４３１は本発明の第１６実施形態に係る帯域阻止フィルタの帯域阻止特性を表し、符号４３２は反射特性を表す。図４６に示すように、本発明の第１６実施形態に係る帯域阻止フィルタは、約７１５〜７２１［ＭＨｚ］付近で阻止帯域を有するフィルタリング特性を有することが分かる。また、図４６の帯域阻止特性グラフ４３１では３個のピークが形成されることによって、３個の共振モードが結合されたことが分かる。
【０１６７】
図４７及び図４８は、本発明の第１７実施形態に係る多重モード共振フィルタの構造を示す透過斜視図及び平面図であって、帯域阻止フィルタを具現するための構造が図示され、図面上で図示の便宜のために、内部転送ライン関連の主要部のみ図示した。図４７及び図４８を参照すると、本発明の第１７実施形態に係る多重モード共振フィルタ３８は、ｘ軸の一極（［＋］極）に入力コネクタと連結されるための入力プローブ３９１が形成される。この際、出力コネクタと連結されるための出力プローブ３９２はｘ軸の他極（［−］極）に形成される。
【０１６８】
また、ｘ軸とｚ軸を連結する第１転送ラインが備えられるが、第１転送ラインは第１−１転送ライン３８７−１と第１−２転送ライン３８７−２とに分けられて構成され、第１−１転送ライン３８７−１のｘ軸方向の終端は上記入力プローブ３９１と連結され、ｚ軸方向の終端はｚ軸の［＋］極方向に向けて延びるが、ｚ軸の一地点まで到達せず、幾分間隔をおいて設置される。第１−２転送ライン３８７−２のｘ軸方向の終端は上記出力プローブ３９２と連結され、ｚ軸方向の終端はｚ軸の［＋］極方向に向けて延びるが、ｚ軸の一地点まで到達せず、上記幾分間隔をおいて設置される。
【０１６９】
また、ｚ軸とｙ軸を連結する第２転送ライン３８８は、ｙ軸方向の終端がｙ軸（［＋］極）上の一地点と連結されるように設置される。また、ｚ軸方向の終端はｚ軸の［＋］極方向に向けるが、ｚ軸の一地点まで到達せず、幾分間隔をおいて設置される。
【０１７０】
また、ｘ軸とｙ軸を連結する第３転送ラインが備えられるが、第３転送ラインは第３−１転送ライン３８９−１と第３−２転送ライン３８９−２とに分けられて構成され、第３−１転送ライン３８９−１のｘ軸方向の終端は上記入力プローブ３９１と連結され、ｙ軸方向の終端はｙ軸（［＋］極）の一地点と連結されるように設置される。第３−２転送ライン３８９−２のｘ軸方向の終端は上記出力プローブ３９２と連結され、ｙ軸方向の終端はｙ軸（［＋］極）の一地点と連結されるように設置される。
【０１７１】
この際、上記第１−１転送ライン３８７−１、第１−２転送ライン３８７−２、及び第２転送ライン３８８は、対応する座標上の軸と正確に一致するように設置されず、予め設定された間隔だけ捩れて設置できる。
【０１７２】
図４９は、図４７及び図４８のフィルタリング特性グラフを示す。図４９で水平軸は周波数（Ｆｒｅｑ［ＭＨｚ］）を表し、垂直軸（Ｙ１）は減衰損失を表す。また、図４９で符号４９１は本発明の第１７実施形態に係る帯域阻止フィルタの帯域阻止特性を表し、符号４９２は反射特性を表す。
【０１７３】
図４９に示すように、本発明の第１７実施形態に係る帯域阻止フィルタは、約７２１〜７２３［ＭＨｚ］付近で阻止帯域を有するフィルタリング特性を有することが分かる。図４９の帯域阻止特性グラフ４９１では、３個のピークが形成されることによって、３個の共振モードが結合されたことが分かる。
【０１７４】
図５０は、本発明の第１８実施形態に係る多重モード共振フィルタの構造を示す透過斜視図であって、帯域通過フィルタを具現するための構造が図示される。図５１及び図５２は、各々本発明の第１８実施形態に係る多重モード共振フィルタの透過平面図及び側面図である。本発明の第１８実施形態に係る多重モード共振フィルタは、図２４に図示された本発明の第８実施形態に係る多重モード共振フィルタと比較する時、第８実施形態の転送ライン２４７−１、２４７−２、２４８−１、２４８−２、２５１、２５２を単純化した構造である。特に、本発明の第１８実施形態に従う多重モード共振フィルタは、少なくとも１つの転送ライン２６０、２６１がハウジング２００と一体形成され、比較的単純な形状からなることができる。
【０１７５】
図５０乃至図５２を参照すると、本発明の第１８実施形態に係る多重モード共振フィルタは、上記実質的に直六面体形状の空洞を有するハウジング２００、上記ハウジング２００の空洞には実質的に円柱形状の誘電体共振素子２１１、ｘ軸の一極に形成される入力コネクタと連結されるための入力プローブ２２１、及びｙ軸の一極に形成される出力コネクタと連結されるための出力プローブ２２３を具備する。
【０１７６】
この際、第１転送ライン２４７のｘ軸方向の終端は＋ｘ軸上の一地点に位置した入力プローブ２２１と連結され、その第二端は垂直下方に延びて形成される。上記第１転送ライン２４７の第二端はハウジング２００の下部の内面と一定距離離隔するか、互いに直接連結できる。上記第１転送ライン２２１の第二端がハウジング２００の下部の内面と離隔して電気的に開放（open）されるか、短絡（short）されることによって、フィルタの特性グラフ上でノッチの位置が変化できる。
【０１７７】
第２転送ライン２４８のｙ軸方向の終端は＋ｙ軸上の一地点に位置した出力プローブ２２３と連結され、その第二端は垂直下方に延びて形成される。上記第２転送ライン２２３の第二端はハウジング２００の下部の内面と一定距離離隔するか、互いに直接連結できる。上記第２転送ライン２２３の第二端がハウジング２００の下部の内面と離隔して電気的に開放（open）されるか、短絡（short）されることによって、フィルタの特性グラフ上でノッチの位置が変化できる。
【０１７８】
第３転送ライン２６０はハウジング２００の下部面に直接連結され、第３−１転送ライン２６０−１、第３−２転送ライン２６０−２、及び第３−３転送ライン２６０−３からなる。第３−１転送ライン２６０−１はｘ軸と平行に配置され、その第一端はハウジングの内部の一隅に連結され、第二端は支持部材２１３に向けて延びるが、上記支持部材２１３とは離隔するように形成される。第３−２転送ライン２６０−２はｙ軸と平行に配置され、その第一端はハウジング２００の内部の一隅に連結され、第二端は支持部材２１３に向けて延びるが、上記支持部材２１３とは離隔するように形成される。第３−３転送ライン２６０−３は、上記第３−１転送ライン２６０−１と第３−２転送ライン２６０−２との間に形成され、第一端は上記第３−１転送ライン２６０−１と連結され、第二端は第３−２転送ライン２６０−２と連結される。上記第１及び第２転送ライン２２１、２２３は、上記第３転送ライン２６０に連結できる。上記第３転送ライン２６０は、フィルタの特性グラフ上でノッチの位置が変化させることができ、必要によって省略できる。上記支持部材２１３の内部には空洞２１３−１が形成できる。
【０１７９】
第４転送ライン２６１はハウジング２００の下部面に直接連結され、誘電体共振素子２１１を間に置いて上記第３−３転送ライン２６０−３と平行に配置される。上記第４転送ライン２６１の両端は、上記ハウジング２００の両側壁まで延びるように形成される。
【０１８０】
上記第３及び第４転送ライン２６０、２６１は、ハウジング２００と一体的に形成できる。上記第３及び第４転送ライン２６０、２６１は、ハウジング２００の内部をエッチングして空洞を形成する時、上記第３及び第４転送ライン２６０、２６１に対応する部分がハウジング２００の下部面に突出して残すようにエッチングすることによって形成できる。
【０１８１】
図５３は、図５０乃至図５２のフィルタリング特性グラフを示す。図５３で水平軸は周波数（Ｆｒｅｑ［ＭＨｚ］）を表し、垂直軸（Ｙ１）は減衰損失を表す。また、図５３で符号５０１は本発明の第１８実施形態に係る帯域通過フィルタの帯域通過特性を表し、符号５０２は反射特性を表す。図５３に示すように、本発明の第１８実施形態に係る帯域通過フィルタは、約８２５〜８３１［ＭＨｚ］の通過帯域を有し、通過帯域より低い周波数で２つのノッチ（ｎ１、ｎ２）が形成されている。また、３個のピーク（ｒ１、ｒ２、ｒ３）を有する反射特性によって３個の共振モードが結合されたことが分かる。
【０１８２】
上記のように本発明の実施形態に係る多重モード共振フィルタの構成及び動作と、具体的な実施形態に関して説明したが、種々の変形が本発明の範囲を逸脱することなく可能である。
【０１８３】
例えば、上記誘電体共振素子は、円形の他にも多角面体形、準（quasi）球形、円柱形、楕円形などの多様な形状を有することもでき、また、本発明の他の実施形態に係る多重モード共振フィルタでハウジング及びその空洞は、球形、準（quasi）球形だけでなく、多角面体形、円柱形、楕円形などの多様な形状を有することができる。
【０１８４】
このように、本発明の多様な変形及び変更が可能であり、したがって、本発明の範囲は説明された実施形態によってではなく、請求範囲と請求範囲の均等物により決定されるべきである。
【図１】
2011526139.tif 000003
【図２】
2011526139.tif 000004
【図３】
2011526139.tif 000005
【図４】
2011526139.tif 000006
【図５】
2011526139.tif 000007
【図６】
2011526139.tif 000008
【図７】
2011526139.tif 000009
【図８】
2011526139.tif 000010
【図９】
2011526139.tif 000011
【図１０】
2011526139.tif 000012
【図１１】
2011526139.tif 000013
【図１２】
2011526139.tif 000014
【図１３】
2011526139.tif 000015
【図１４】
2011526139.tif 000016
【図１５】
2011526139.tif 000017
【図１６】
2011526139.tif 000018
【図１７】
2011526139.tif 000019
【図１８】
2011526139.tif 000020
【図１９】
2011526139.tif 000021
【図２０】
2011526139.tif 000022
【図２１】
2011526139.tif 000023
【図２２】
2011526139.tif 000024
【図２３】
2011526139.tif 000025
【図２４】
2011526139.tif 000026
【図２５】
2011526139.tif 000027
【図２６】
2011526139.tif 000028
【図２７】
2011526139.tif 000029
【図２８】
2011526139.tif 000030
【図２９】
2011526139.tif 000031
【図３０】
2011526139.tif 000032
【図３１】
2011526139.tif 000033
【図３２】
2011526139.tif 000034
【図３３】
2011526139.tif 000035
【図３４】
2011526139.tif 000036
【図３５】
2011526139.tif 000037
【図３６】
2011526139.tif 000038
【図３７】
2011526139.tif 000039
【図３８】
2011526139.tif 000040
【図３９】
2011526139.tif 000041
【図４０】
2011526139.tif 000042
【図４１】
2011526139.tif 000043
【図４２】
2011526139.tif 000044
【図４３】
2011526139.tif 000045
【図４４】
2011526139.tif 000046
【図４５】
2011526139.tif 000047
【図４６】
2011526139.tif 000048
【図４７】
2011526139.tif 000049
【図４８】
2011526139.tif 000050
【図４９】
2011526139.tif 000051
【図５０】
2011526139.tif 000052
【図５１】
2011526139.tif 000053
【図５２】
2011526139.tif 000054
【図５３】
2011526139.tif 000055
【国際調査報告】
2011526139.tif 000056
2011526139.tif 000057